(57)【要約】【課題】同一または類似するシーンは、同様の処理対象とすることができるようにする。【解決手段】記録する情報信号について特徴量を検出する特徴量検出手段１２と、特徴量検出手段１２で検出された特徴量を用いて、情報信号の区切りを検出する区切り検出手段１３と、区切り検出手段１３で検出された区切りの隣接するものにより特定される分節区間毎に、特徴量検出手段１２で検出された特徴量を記憶する特徴量記憶手段１５と、分節区間毎に、特徴量記憶手段１５に記憶されている特徴量を用いて、同一または近似する特徴量のものには同一のものを付与するようにして、識別子を付与する識別子付与手段１４とを設ける。分節区間毎に、区切り検出手段１３で検出された区切りの情報と、識別子付与手段１５により付与された識別子と、記録媒体に記録された情報信号とを、対応付けて記録する。【選択図】図１
2007110188.tif 000002
【特許請求の範囲】
【請求項１】
情報信号を記録媒体に記録する情報信号記録手段と、
前記記録する情報信号について特徴量を検出する特徴量検出手段と、
前記特徴量検出手段で検出された前記特徴量を用いて、前記情報信号の区切りを検出する区切り検出手段と、
前記区切り検出手段で検出された前記区切りの隣接するものにより特定される分節区間毎に、前記特徴量検出手段で検出された前記特徴量を記憶する特徴量記憶手段と、
前記分節区間毎に、前記特徴量記憶手段に記憶されている特徴量を用いて、同一または近似する特徴量のものには同一のものを付与するようにして、識別子を付与する識別子付与手段と、
前記分節区間毎に、前記区切り検出手段で検出された前記区切りの情報と、前記識別子付与手段により付与された前記識別子と、前記記録媒体に記録された前記情報信号とを、対応付けて、記録する分節区間情報記録手段と、
を備える記録装置。
【請求項２】
請求項１に記載の記録装置において、
前記分節区間毎の前記識別子は、前記特徴量を圧縮したもので構成され、
前記特徴量記憶手段は、前記分節区間毎の圧縮された特徴量を、前記分節区間毎に付与された識別子として記憶する
ことを特徴とする記録装置。
【請求項３】
請求項１に記載の記録装置において、
前記情報信号は、本編情報の前または後の区間に、前記本編情報以外の特定情報が挿入されるものであり、前記特定情報の区間を検出する特定情報区間検出手段を備え、
前記分節区間情報記録手段は、前記特定情報の区間を示す情報をも記録するようにした
ことを特徴とする記録装置。
【請求項４】
請求項１に記載の記録装置において、
前記情報信号は、本編情報の前または後の区間に、前記本編情報以外の特定情報が挿入されるものであり、
前記分節区間が、前記特定情報の区間の先頭または末尾であるかどうかを検出する特定情報区間先頭または末尾検出手段と、
を備え、
前記分節区間情報記録手段は、前記特定情報区間先頭または末尾検出手段で、前記分節区間が、前記特定情報の区間の先頭または末尾であると検出されたときに、当該分節区間に対して、前記特定情報区間の先頭または末尾であることを示す情報を、前記識別子と共に記録する
ことを特徴とする記録装置。
【請求項５】
請求項１に記載の記録装置において、
前記情報信号は、本編情報の前または後の区間に、前記本編情報以外の特定情報が挿入されるものであり、
前記特定情報の区間を検出する特定情報区間検出手段と、
前記特定情報区間検出手段で検出された前記特定情報の区間の直前および直後の１または複数の分節区間が、同一または近似するものとなっているか否かを判定する特定区間前後判定手段と、
を備え、
前記分節区間情報記録手段は、前記特定区間前後判定手段で、前記特定情報の区間の前後の１または複数の分節区間が同一または近似するものとなっていると判定されたときは、前記同一または近似するものとなっている前記特定情報の区間およびその直前および直後の１または複数の分節区間についてのマークを、併せて記録する
ことを特徴とする記録装置。
【請求項６】
請求項１に記載の記録装置において、
前記識別子が付与された前記分節区間の複数個からなる区間の中央の前記分節区間の前後の１または複数の分節区間が同一または近似するものとなっていると判定されたときは、前記同一または近似するものとなっている前記中央の分節区間およびその直前および直後の１または複数の分節区間についてのマークを、併せて記録する
ことを特徴とする記録装置。
【請求項７】
情報信号について検出された特徴量が用いられて、前記情報信号の区切りが検出されると共に、前記区切りの隣接するものにより特定される分節区間毎に識別子が付与され、前記区切りの情報と、前記識別子とが、前記情報信号に対応付けられて記録されている記録媒体からの情報信号の再生装置であって、
前記情報信号の前記分節区間単位の再生視聴履歴を前記分節区間の識別子に対応付けて記憶する視聴履歴情報記憶手段と、
前記視聴履歴情報記憶手段に記憶された前記分節区間単位の再生視聴履歴に基づいて、前記情報信号の対応する前記分節区間の再生制御を行なう再生制御手段と、
を備えることを特徴とする再生装置。
【請求項８】
情報信号について検出された特徴量が用いられて、前記情報信号の区切りが検出されると共に、前記区切りの隣接するものにより特定される分節区間毎に識別子が付与され、前記区切りの情報と、前記分節区間の前記識別子とが、前記情報信号に対応付けられて記録されている記録媒体からの情報信号の再生装置であって、
再生時に所定の再生制御を行なわせる前記情報信号区間の指定入力を受け付け、当該指定された情報信号区間内の前記分節区間の識別子を記憶する指定受付記憶手段と、
前記記録媒体に前記情報信号に対応付けられて記録されている前記分節区間の識別子を検索して、前記指定受付記憶手段で記憶された前記分節区間の識別子と同じまたは類似する区間を検出する類似情報信号区間検出手段と、
を備えることを特徴とする再生装置。
【請求項９】
記録媒体から読み出された情報信号について特徴量を検出する特徴量検出手段と、
前記特徴量検出手段で検出された前記特徴量を用いて、前記情報信号の区切りを検出する区切り検出手段と、
前記区切り検出手段で検出された前記区切りの隣接するものにより特定される分節区間毎に、前記特徴量検出手段で検出された前記特徴量を記憶する特徴量記憶手段と、
前記分節区間毎に、前記特徴量記憶手段に記憶されている特徴量を用いて、同一または近似する特徴量のものには同一のものを付与するようにして、識別子を付与する識別子付与手段と、
前記分節区間毎に、前記区切り検出手段で検出された前記区切りの情報と、前記識別子付与手段により付与された前記識別子と、前記記録媒体に記録された前記情報信号とを、対応付けて、記録する分節区間情報記録手段と、
前記分節区間情報記録手段で記録された前記分節区間毎の前記区切りの情報と、前記識別子とを先読みしながら、再生を実行する再生手段と、
を備える再生装置。
【請求項１０】
請求項９に記載の再生装置において、
前記分節区間毎の前記識別子は、前記分節区間のそれぞれにおける前記特徴量を圧縮したもので構成され、
前記特徴量記憶手段は、前記分節区間毎の圧縮された特徴量を、前記分節区間毎に付与された識別子として記憶する
ことを特徴とする再生装置。
【請求項１１】
請求項９に記載の再生装置において、
前記情報信号は、本編情報の前または後の区間に、前記本編情報以外の特定情報が挿入されるものであり、前記特定情報の区間を検出する特定情報区間検出手段を備え、
前記分節区間情報記録手段は、前記特定情報の区間を示す情報をも記録するようにし、
前記特定情報の区間の先頭の分節区間または末尾の分節区間の識別子が同一または近似する前記特定情報の区間は、類似する特定情報の区間と判断する
ことを特徴とする再生装置。
【請求項１２】
請求項９に記載の再生装置において、
前記情報信号は、本編情報の前または後の区間に、前記本編情報以外の特定情報が挿入されるものであり、
前記分節区間が、前記特定情報の区間の先頭または末尾であるかどうかを検出する特定情報区間先頭または末尾検出手段を備え、
前記分節区間情報記録手段は、前記特定情報区間先頭または末尾検出手段で、前記分節区間が、前記特定情報の区間の先頭または末尾であると検出されたときに、当該分節区間に前記先頭または末尾の区切りであることを示す情報を、前記識別子と共に記録するようにし、
前記特定情報の区間の先頭の分節区間または末尾の分節区間の識別子が同一または近似する前記特定情報の区間は、類似する特定情報の区間と判断する
ことを特徴とする再生装置。
【請求項１３】
情報信号について検出された特徴量が用いられて、前記情報信号の区切りが検出され、前記区切りの隣接するものにより特定される分節区間毎に識別子が付与され、前記区切りの情報と、前記分節区間の前記識別子とが、前記情報信号に対応付けられて記録されていると共に、前記情報信号は、本編情報の前または後の区間に、前記本編情報以外の特定情報が挿入されるものであって、前記特定情報の区間の直前および直後の１または複数の分節区間が、同一または近似するものとなっているとき、前記特定情報の区間およびその直前および直後の１または複数の分節区間についてのマークが、さらに記録されている記録媒体からの情報信号の再生装置であって、
前記記録媒体から、前記区切りの情報と、前記分節区間の識別子と、前記マークとを先読みし、読み出された前記特定情報の区間およびその直前および直後の１または複数の分節区間についてのマークに基いて、前記特定情報の区間とその直前の前記１または複数の分節区間または前記特定情報の区間とその直後の前記１または複数の分節区間を、スキップまたは早送りして再生するように制御する再生制御手段を備える
ことを特徴とする再生装置。
【請求項１４】
情報信号について検出された特徴量が用いられて、前記情報信号の区切りが検出され、前記区切りの隣接するものにより特定される分節区間毎に識別子が付与され、前記区切りの情報と、前記分節区間の前記識別子とが、前記情報信号に対応付けられて記録されている記録媒体からの情報信号の再生装置であって、
前記情報信号は、本編情報の前または後の区間に、前記本編情報以外の特定情報が挿入されるものであり、
前記特定情報の区間を検出する特定情報区間検出手段と、
前記特定情報区間検出手段で検出された前記特定情報の区間の直前および直後の１または複数の分節区間が、同一または近似するものとなっているか否かを判定する特定区間前後判定手段と、
前記記録媒体から、前記区切りの情報と、前記分節区間の識別子とを先読みして、前記特定区間前後判定手段において前記判定を行なわせ、前記特定情報の区間の直前および直後の１または複数の分節区間が、同一または近似するものとなっていると判定されたときに、その判定結果に基づいて、前記特定情報の区間とその直前の前記１または複数の分節区間または前記特定情報の区間とその直後の前記１または複数の分節区間を、スキップまたは早送りして再生するように制御する再生制御手段を備える
ことを特徴とする再生装置。
【請求項１５】
本編情報の前または後の区間に、前記本編情報以外の特定情報が挿入されることが可とされている情報信号について検出された特徴量が用いられて、前記情報信号の区切りが検出され、前記区切りの隣接するものにより特定される分節区間毎に識別子が付与され、かつ、前記特定情報の区間が検出されて、前記区切りの情報と、前記分節区間の前記識別子と、前記特定情報の区間の情報とが、前記情報信号に対応付けられて記録されている記録媒体からの情報信号の再生装置であって、
前記特定情報の区間の直前および直後の１または複数の分節区間が、同一または近似するものとなっているか否かを判定する特定区間前後判定手段と、
前記記録媒体から、前記区切りの情報と、前記分節区間の識別子とを先読みして、前記特定区間前後判定手段において前記判定を行なわせ、前記特定情報の区間の直前および直後の１または複数の分節区間が、同一または近似するものとなっていると判定されたときに、その判定結果に基づいて、前記特定情報の区間とその直前の前記１または複数の分節区間または前記特定情報の区間とその直後の前記１または複数の分節区間を、スキップまたは早送りして再生するように制御する再生制御手段を備える
ことを特徴とする再生装置。
【請求項１６】
情報信号について検出された特徴量が用いられて、前記情報信号の区切りが検出され、前記区切りの隣接するものにより特定される分節区間毎に識別子が付与され、前記区切りの情報と、前記分節区間の前記識別子とが、前記情報信号に対応付けられて記録されている記録媒体からの情報信号の再生装置であって、
前記識別子が付与された前記分節区間の複数個からなる区間の中央の前記分節区間の直前と直後の１または複数の分節区間が同一または近似するものとなっているか否かを判定する特定区間前後判定手段と、
前記記録媒体から、前記区切りの情報と、前記分節区間の識別子とを先読みして、前記特定区間前後判定手段において前記判定を行なわせ、前記中央の分節区間の直前と直後の１または複数の分節区間が、同一または近似するものとなっていると判定されたときに、その判定結果に基づいて、前記中央の分節区間とその直前の前記１または複数の分節区間または前記中央の分節区間とその直後の前記１または複数の分節区間を、スキップまたは早送りして再生するように制御する再生制御手段を備える
ことを特徴とする再生装置。
【請求項１７】
請求項９に記載の再生装置において、
前記情報信号は、本編情報の前または後の区間に、前記本編情報以外の特定情報が挿入されるものであり、
前記特定情報の区間を検出する特定情報区間検出手段と、
前記特定情報区間検出手段で検出された前記特定情報の区間の直前および直後の１または複数の分節区間が、同一または近似するものとなっているか否かを判定する特定区間前後判定手段と、
前記記録媒体から、前記区切りの情報と、前記分節区間の識別子とを先読みして、前記特定区間前後判定手段において前記判定を行なわせ、前記特定情報の区間の直前および直後の１または複数の分節区間が、同一または近似するものとなっていると判定されたときに、その判定結果に基づいて、前記特定情報の区間とその直前の前記１または複数の分節区間または前記特定情報の区間とその直後の前記１または複数の分節区間を、スキップまたは早送りして再生するように制御する再生制御手段を備える
ことを特徴とする再生装置。
【請求項１８】
請求項９に記載の再生装置において、
前記識別子が付与された前記分節区間の複数個からなる区間の中央の前記分節区間の直前と直後の１または複数の分節区間が同一または近似するものとなっているか否かを判定する特定区間前後判定手段と、
前記記録媒体から、前記区切りの情報と、前記分節区間の識別子とを先読みして、前記特定区間前後判定手段において前記判定を行なわせ、前記中央の分節区間の直前と直後の１または複数の分節区間が、同一または近似するものとなっていると判定されたときに、その判定結果に基づいて、前記中央の分節区間とその直前の前記１または複数の分節区間または前記中央の分節区間とその直後の前記１または複数の分節区間を、スキップまたは早送りして再生するように制御する再生制御手段を備える
ことを特徴とする再生装置。
【請求項１９】
情報信号について検出された特徴量が用いられて、前記情報信号の区切りが検出されると共に、前記区切りの隣接するものにより特定される分節区間毎に識別子が付与され、前記区切りの情報と、前記識別子とが、前記情報信号に対応付けられて記録されている記録媒体からの情報信号の再生装置であって、
再生時に、前記情報信号を正常に再生させて視聴したか、あるいは、ユーザ操作に応じて特殊再生したかに応じたユーザ評価値を前記分節区間の識別子に対応させて蓄積するユーザ評価値蓄積手段と、
予め定められた所定のタイミングにおいて、前記ユーザ評価値蓄積手段に蓄積されている前記分節区間の識別子と、対応する前記ユーザ評価値とを、予め定められた情報収集先に送信する送信手段と、
を備えることを特徴とする再生装置。
【請求項２０】
請求項１９に記載の再生装置において、
前記情報信号は、放送番組の情報であり、前記ユーザ評価値蓄積手段には、放送番組単位の識別子も記憶され、
前記送信手段は、前記分節区間の識別子と、対応する前記ユーザ評価値と、前記放送番組単位の識別子とを、予め定められた情報収集先に送信する
ことを特徴とする再生装置。
【請求項２１】
請求項１９に記載の再生装置において、
前記情報信号は、本編情報の前または後の区間に、前記本編情報以外の特定情報が挿入される放送番組の情報であり、前記ユーザ評価値蓄積手段には、放送番組単位の識別子も記憶されると共に、
前記特定情報の区間を検出して、当該特定情報の区間であることを示す情報を生成する手段を備え、
前記送信手段は、前記特定情報の区間については、前記放送番組単位の識別子と、前記特定情報の区間であることを示す情報をも前記情報収集先に送信する
ことを特徴とする再生装置。
【請求項２２】
情報信号を記録媒体に記録する情報信号記録工程と、
前記記録する情報信号について特徴量を検出する特徴量検出工程と、
前記特徴量検出工程で検出された前記特徴量を用いて、前記情報信号の区切りを検出する区切り検出工程と、
前記区切り検出工程で検出された前記区切りの隣接するものにより特定される分節区間毎に、前記特徴量検出手段で検出された前記特徴量を記憶する特徴量記憶工程と、
前記分節区間毎に、前記特徴量記憶工程で記憶されている特徴量を用いて、同一または近似する特徴量のものには同一のものを付与するようにして、識別子を付与する識別子付与工程と、
前記分節区間毎に、前記区切り検出工程で検出された前記区切りの情報と、前記識別子付与工程により付与された前記識別子と、前記記録媒体に記録された前記情報信号とを、対応付けて、記録する分節区間情報記録工程と、
を備える記録方法。
【請求項２３】
情報信号について検出された特徴量が用いられて、前記情報信号の区切りが検出されると共に、前記区切りの隣接するものにより特定される分節区間毎に識別子が付与され、前記区切りの情報と、前記識別子とが、前記情報信号に対応付けられて記録されている記録媒体からの情報信号の再生方法であって、
前記情報信号の前記分節区間単位の再生視聴履歴を前記分節区間の識別子に対応付けて記憶する視聴履歴情報記憶工程と、
前記視聴履歴情報記憶工程で記憶された前記分節区間単位の再生視聴履歴に基づいて、前記情報信号の対応する前記分節区間の再生制御を行なう再生制御工程と、
を備えることを特徴とする再生方法。
【請求項２４】
情報信号について検出された特徴量が用いられて、前記情報信号の区切りが検出されると共に、前記区切りの隣接するものにより特定される分節区間毎に識別子が付与され、前記区切りの情報と、前記分節区間の前記識別子とが、前記情報信号に対応付けられて記録されている記録媒体からの情報信号の再生方法であって、
再生時に所定の再生制御を行なわせる前記情報信号区間の指定入力を受け付け、当該指定された情報信号区間内の前記分節区間の識別子を記憶する指定受付記憶工程と、
前記記録媒体に前記情報信号に対応付けられて記録されている前記分節区間の識別子を検索して、前記指定受付記憶工程で記憶された前記分節区間の識別子と同じまたは類似する区間を検出する類似情報信号区間検出工程と、
を備えることを特徴とする再生方法。
【請求項２５】
記録媒体から読み出された情報信号について特徴量を検出する特徴量検出工程と、
前記特徴量検出工程で検出された前記特徴量を用いて、前記情報信号の区切りを検出する区切り検出工程と、
前記区切り検出工程で検出された前記区切りの隣接するものにより特定される分節区間毎に、前記特徴量検出工程で検出された前記特徴量を記憶する特徴量記憶工程と、
前記分節区間毎に、前記特徴量記憶工程で記憶されている特徴量を用いて、同一または近似する特徴量のものには同一のものを付与するようにして、識別子を付与する識別子付与工程と、
前記分節区間毎に、前記区切り検出工程で検出された前記区切りの情報と、前記識別子付与工程により付与された前記識別子と、前記記録媒体に記録された前記情報信号とを、対応付けて、記録する分節区間情報記録工程と、
前記分節区間情報記録工程で記録された前記分節区間毎の前記区切りの情報と、前記識別子とを先読みしながら、再生を実行する再生工程と、
を備える再生方法。
【請求項２６】
情報信号について検出された特徴量が用いられて、前記情報信号の区切りが検出され、前記区切りの隣接するものにより特定される分節区間毎に識別子が付与され、前記区切りの情報と、前記分節区間の前記識別子とが、前記情報信号に対応付けられて記録されている記録媒体からの情報信号の再生方法であって、
前記情報信号は、本編情報の前または後の区間に、前記本編情報以外の特定情報が挿入されるものであり、
前記特定情報の区間を検出する特定情報区間検出工程と、
前記特定情報区間検出工程で検出された前記特定情報の区間の直前および直後の１または複数の分節区間が、同一または近似するものとなっているか否かを判定する特定区間前後判定工程と、
前記記録媒体から、前記区切りの情報と、前記分節区間の識別子とを先読みして、前記特定区間前後判定手段において前記判定を行なわせ、前記特定情報の区間の直前および直後の１または複数の分節区間が、同一または近似するものとなっていると判定されたときに、その判定結果に基づいて、前記特定情報の区間とその直前の前記１または複数の分節区間または前記特定情報の区間とその直後の前記１または複数の分節区間を、スキップまたは早送りして再生するように制御する再生制御工程と
を備えることを特徴とする再生方法。
【請求項２７】
本編情報の前または後の区間に、前記本編情報以外の特定情報が挿入されることが可とされている情報信号について検出された特徴量が用いられて、前記情報信号の区切りが検出され、前記区切りの隣接するものにより特定される分節区間毎に識別子が付与され、かつ、前記特定情報の区間が検出されて、前記区切りの情報と、前記分節区間の前記識別子と、前記特定情報の区間の情報とが、前記情報信号に対応付けられて記録されている記録媒体からの情報信号の再生方法であって、
前記特定情報の区間の直前および直後の１または複数の分節区間が、同一または近似するものとなっているか否かを判定する特定区間前後判定工程と、
前記記録媒体から、前記区切りの情報と、前記分節区間の識別子とを先読みして、前記特定区間前後判定工程において前記判定を行なわせ、前記特定情報の区間の直前および直後の１または複数の分節区間が、同一または近似するものとなっていると判定されたときに、その判定結果に基づいて、前記特定情報の区間とその直前の前記１または複数の分節区間または前記特定情報の区間とその直後の前記１または複数の分節区間を、スキップまたは早送りして再生するように制御する再生制御工程を備える
ことを特徴とする再生方法。
【請求項２８】
情報信号について検出された特徴量が用いられて、前記情報信号の区切りが検出され、前記区切りの隣接するものにより特定される分節区間毎に識別子が付与され、前記区切りの情報と、前記分節区間の前記識別子とが、前記情報信号に対応付けられて記録されている記録媒体からの情報信号の再生方法であって、
前記識別子が付与された前記分節区間の複数個からなる区間の中央の前記分節区間の直前と直後の１または複数の分節区間が同一または近似するものとなっているか否かを判定する特定区間前後判定方法と、
前記記録媒体から、前記区切りの情報と、前記分節区間の識別子とを先読みして、前記特定区間前後判定方法において前記判定を行なわせ、前記中央の分節区間の直前と直後の１または複数の分節区間が、同一または近似するものとなっていると判定されたときに、その判定結果に基づいて、前記中央の分節区間とその直前の前記１または複数の分節区間または前記中央の分節区間とその直後の前記１または複数の分節区間を、スキップまたは早送りして再生するように制御する再生制御方法を備える
ことを特徴とする再生方法。
【請求項２９】
情報信号について検出された特徴量が用いられて、前記情報信号の区切りが検出されると共に、前記区切りの隣接するものにより特定される分節区間毎に識別子が付与され、前記区切りの情報と、前記識別子とが、前記情報信号に対応付けられて記録されている記録媒体からの情報信号の再生方法であって、
再生時に、前記情報信号を正常に再生させて視聴したか、あるいは、ユーザ操作に応じて特殊再生したかに応じたユーザ評価値を前記分節区間の識別子に対応させて蓄積するユーザ評価値蓄積工程と、
予め定められた所定のタイミングにおいて、前記ユーザ評価値蓄積工程に蓄積されている前記分節区間の識別子と、対応する前記ユーザ評価値とを、予め定められた情報収集先に送信する送信工程と、
を備えることを特徴とする再生方法。
【発明の詳細な説明】
【技術分野】
【０００１】
この発明は、例えばテレビ放送番組の情報のような情報信号を記録したり、再生したりする場合に使用して好適な記録装置、記録方法、再生装置および再生方法に関する。
【背景技術】
【０００２】
ハードディスク装置が、その記憶容量の大容量化、低価格化などで広く普及し、パーソナルコンピュータでの利用だけでなく、民生用として、テレビ放送番組の映像・音声情報信号の記録再生装置などにも広く用いられている。
【０００３】
また、ハードディスク装置を用いた記録再生装置では、ハードディスク装置の他に、ＤＶＤ（Ｄｉｇｉｔａｌ  Ｖｅｒｓａｔｉｌｅ  Ｄｉｓｃ）など着脱装着可能な記録媒体が取り扱えるように、そのような記録媒体に対応した記録再生ドライブが併用されるように構成されているものもある。
【０００４】
この種の記録再生装置においては、ハードディスク装置に記録した色々なテレビ放送番組の中で、ユーザが所望する放送番組だけを選択して、ＤＶＤに記録し直して保存するコピー記録処理などの使い方がある。また、テレビ放送番組の中で、ユーザが所望する所定のシーン区間だけを選択して、テレビ放送番組を記録したり、記録したテレビ放送番組を記録し直したりするなどの編集処理を行なうことも考えられている。
【０００５】
このように、ユーザが希望する放送番組をコピー記録処理したり、編集処理したりする場合に、大容量記録媒体としてのハードディスク装置に記録した多くの放送番組の中から、ユーザが所望する番組を探す場合や、面白そうな番組を探す場合に、ユーザが、記録した内容をすべて再生して見ることは大変に時間の掛かることで、効率的ではない。
【０００６】
そこで、記録した画像音声情報の内容を効率的に確かめる方法として、放送番組の所定時点（チャプター点）の番組画像をサムネール表示したり、また、重要区間（キーフレーム）と思われる区間だけを再生したりすることで、いわゆるダイジェスト再生（要約再生）による短時間再生動作を行なうなどの方法が考えられている。
【０００７】
上記の放送番組の所定時点（チャプター点）の設定処理としては、所定の特徴抽出処理によって映像・音声信号の所定の特徴点データを検出し、その特徴点データに基づいて重要シーン（キーフレーム）と考えられる特徴点の検出を行ない、その時点をチャプター点として設定することが考えられる。
【０００８】
また、上記ダイジェスト再生は、例えば特許文献１（特開２００３−２１９３４８公報）や特許文献２（特開２００５−６５１８５公報）に記載されているように、上述と同様にして特徴点の検出を行ない、検出された特徴データに基づいて検出判定したキーフレーム間の所定区間を順次再生して、通常再生時間よりも時間的に短時間で再生するものである。
【０００９】
上記のような特徴データによって検出され設定される特徴点としては、例えばテレビ放送番組の場合には、放送番組本編とテレビＣＭ（コマーシャル。以下同じ）との間（放送番組本編の終了点とＣＭ開始点の間、または、ＣＭ終了点と放送番組本編の開始点の間）、やテレビＣＭとテレビＣＭとの間などが考えられている。
【００１０】
例えば特許文献３（特開２０００−１６５８０６公報）や特許文献４（特開２０００−１６５７９８公報）には、音声信号の無音区間と、その無音区間の時間間隔などを検出し、その検出結果に基づいてＣＭ開始点やＣＭ終了点を検出して、ＣＭ区間を判定する技術が開示されている。これらは、ＣＭ区間がほぼ１５秒の倍数関係の時間長を有することを利用するもので、検出した特定条件区間としての無音区間が現れる時間間隔が１５秒の倍数関係になっているとき、その区間をＣＭ区間として検出するものである。
【００１１】
ところで、記録再生装置で再生するテレビ放送番組としては、日本で放送されたものばかりでなく、同じＮＴＳＣ（Ｎａｔｉｏｎａｌ  Ｔｅｌｅｖｉｓｉｏｎ  Ｓｙｓｔｅｍ  Ｃｏｍｍｉｔｔｅｅ）方式のテレビ放送番組、例えば米国のテレビ放送番組が対象となる場合もある。
【００１２】
しかし、上述した特許文献１〜３の技術は、いずれも日本国におけるテレビ放送番組におけるＣＭ検出に関する技術であり、米国のテレビ放送のＣＭ検出の場合には、これらの特許文献１〜４の技術を、そのまた適用することはできない。
【００１３】
何故なら、米国のテレビ放送番組においては、日本の場合のように無音区間の検出だけではＣＭ区間を正しく検出できず、輝度信号レベルが低く、ほぼ黒レベルであるとすることができる複数フィールド区間を検出する必要があることからである。
【００１４】
すなわち、米国のテレビ放送番組を考えた場合には、ＣＭ区間がほぼ１５秒の倍数の時間長であることは日本の場合と変わらないが、テレビ放送番組のＣＭ区間の開始時点および終了時点においては、輝度信号レベルがほぼ黒レベルである複数フィールド区間（以下、黒区間という）が存在することが知られている。
【００１５】
そして、米国のテレビ放送番組におけるＣＭにおける黒区間の説明およびＣＭ検出に関する技術については、例えば、後記の非特許文献１に記載されている。この非特許文献１には、テレビＣＭに黒区間が存在するテレビ放送について、その黒区間の時間長、ＣＭ区間長などの特性例についても記述されている。
【００１６】
上記の特許文献および非特許文献は、次の通りである。
【特許文献１】特開２００３−２１９３４８公報
【特許文献２】特開２００５−６５１８５公報
【特許文献３】特開２０００−１６５８０６公報
【特許文献４】特開２０００−１６５７９８公報
【非特許文献１】“Automatic detection of TV commercials” Satterwhite, B.; Marques, O.; Potentials, IEEE, Volume 23, Issue 2, April-May 2004 Pages:9-12
【発明の開示】
【発明が解決しようとする課題】
【００１７】
ところで、上述のダイジェスト再生する場合には、記録したテレビ放送番組のそれぞれにおいて、再生する区間を指定したり、スキップするＣＭ区間等を指定したりする必要がある。したがって、再生時にユーザが、いつも早送り再生指示操作やスキップ指示操作してしまう特定の番組宣伝、ＣＭ区間、連続ドラマの番組オープニングや番組エンディングのシーンであっても、その都度、そのシーン区間の指定を行なう必要があった。
【００１８】
また、上述のように、番組本編とＣＭ区間とを区別することが可能であるので、例えば１つの番組において、もしも、全てのＣＭ区間をスキップして再生するように指定するのであれば、比較的指示操作も簡単であるが、その場合には、一部のお気に入りのＣＭ区間をスキップせずに再生したくても、その要求には応じることができない。
【００１９】
また、例えば毎週放送される連続番組で、毎回、特徴的な同様のシーンが含まれる放送番組について、当該特徴的な同様のシーンの部分を抽出して再生したい場合には、従来の場合であれば、記録した放送番組を再生して、そのシーンを検索するしかなく、操作が厄介である。
【００２０】
この発明は、以上のような問題点にかんがみ、同一または類似するシーンは、同様の処理対象とすることができるようにして、上記の問題点を改善することができるようにすることを目的とする。
【課題を解決するための手段】
【００２１】
上記の課題を解決するために、この発明は、
情報信号を記録媒体に記録する情報信号記録手段と、
前記記録する情報信号について特徴量を検出する特徴量検出手段と、
前記特徴量検出手段で検出された前記特徴量を用いて、前記情報信号の区切りを検出する区切り検出手段と、
前記区切り検出手段で検出された前記区切りの隣接するものにより特定される分節区間毎に、前記特徴量検出手段で検出された前記特徴量を記憶する特徴量記憶手段と、
前記分節区間毎に、前記特徴量記憶手段に記憶されている特徴量を用いて、同一または近似する特徴量のものには同一のものを付与するようにして、識別子を付与する識別子付与手段と、
前記分節区間毎に、前記区切り検出手段で検出された前記区切りの情報と、前記識別子付与手段により付与された前記識別子と、前記記録媒体に記録された前記情報信号とを、対応付けて、記録する分節区間情報記録手段と、
を備える記録装置を提供することを特徴とする。
【００２２】
上述の構成のこの発明による記録装置によれば、情報信号は、その特徴量に基づいて区切られた分節区間毎に識別子が付与され、当該分節区間の情報信号における区切りの情報と共に、その識別子が、情報信号と対応付けられて記録媒体に記録される。
【００２３】
したがって、例えば異なる日時に記録された、異なる情報信号であっても、分節区間の識別子を用いることにより、同じ内容である分節区間を関連付けることが可能である。例えば、いつもスキップして再生するような区間を、分節区間の識別子により特定することにより、再生されていない新たな記録情報信号を再生する際にも、上記識別子で特定された分節区間を自動的にスキップさせて再生することが可能となる。
【発明の効果】
【００２４】
この発明によれば、情報信号の特徴量に基づいて区切られた分節区間毎に識別子を付与し、当該分節区間の、情報信号における区切りの情報と共に、その識別子を、情報信号と対応付けて記録媒体に記録しておくことにより、当該分節区間の識別子を利用して、分節区間の同一性を判定することができ、ユーザの利便性を高めることができる。
【発明を実施するための最良の形態】
【００２５】
以下、この発明の実施形態を、図を参照しながら説明する。以下に説明する実施形態においては、再生対象あるいは記録再生の対象の情報信号は、例えば受信したテレビ放送番組の映像信号および音声信号や、記録媒体に記録された映像信号および音声信号とされている。
【００２６】
なお、以下の実施形態は、記録再生装置にこの発明を適用した場合の例であり、記録装置および記録方法の実施形態は、当該記録再生装置の記録系に、また、再生装置および再生方法の実施形態は、当該記録再生装置の再生系に具現化されている。
【００２７】
そして、以下に説明する実施形態は、受信したテレビ放送番組の映像信号および音声信号からなる情報信号を、内蔵するハードディスク装置などからなる内部記録媒体や、ＤＶＤなどのリムーバルな外部記録媒体に記録し、また、これらの内蔵記録媒体や外部記録媒体に記録された情報信号を読み出して再生する機能を備える記録再生装置に、この発明を適用した場合の例である。
【００２８】
この例の記録再生装置は、テレビ放送番組の映像信号および音声信号を内蔵記録媒体または外部記録媒体に記録し、また、これらの記録媒体に記録されている映像信号および音声信号を再生する機能を備えるだけでなく、記録するテレビ放送番組の映像信号および音声信号または再生した映像信号および音声信号の特徴量を検出し、その検出出力から、特徴点としてのシーン変化点を検出し、その検出したシーン変化点の情報を、テレビ放送番組の情報信号と共に、記録媒体に記録する機能を備える。
【００２９】
そして、この実施形態では、検出した特徴点のデータ（シーン変化点のデータ）は、記録放送番組についての付加情報ファイルとして記録媒体の所定記録領域に記録するようにする。なお、検出した特徴点から、放送番組の開始点や終了点、あるいはＣＭの開始点などをチャプター点として生成し、生成したチャプター点をシーン変化点として、そのデータリストを、記録媒体に記録するようにしてもよい。
【００３０】
ここで、シーン変化点は、情報信号の区切りに対応し、例えば番組本編とコマーシャル（以下、ＣＭと略称する）との区切りのみではなく、番組本編内の番組宣伝の区間の開始点および終了点、番組オープニングや番組エンディングの区間の開始点や終了点の他、番組本編内で、場面が大きく変化する場面変化点（いわゆるシーンチェンジ）を含む。また、この実施形態では、複数個のＣＭが連続するとき、それぞれのＣＭの開始点、終了点もシーン変化点として検出することができるようにされている。
【００３１】
なお、この実施形態の説明においては、隣接するシーン変化点により特定されるテレビ放送番組の情報信号（映像信号や音声信号）の区間、すなわち、隣接するシーン変化点の間の区間（分節区間）を、シーンと呼ぶことにする。
【００３２】
１つのＣＭ区間においても、シーンチェンジがあるときには、当該ＣＭ区間は、複数個のシーンからなる。番組本編内の番組宣伝の区間、番組オープニングや番組エンディングの区間なども同様に、その区間内にシーンチェンジがあるときには、当該区間は、複数個のシーンからなる。
【００３３】
また、この例においては、番組宣伝シーンや、連続ドラマの番組の番組オープニングシーンや番組エンディングシーンのように、放送番組は異なるが同一シーンを含む他の放送番組が記録された場合には、当該同一シーンについては、他の放送番組においても同一性を自動的に判定することができるようにしている。
【００３４】
すなわち、これを実現するため、この例では、隣接するシーン変化点で特定されるシーンのそれぞれに、識別子（以下シーン識別子という）を付与する。そして、シーン識別子は、各シーンの特徴量に基づいて付与することにより、同一または近似するシーンは、同一のシーン識別子を付与するようにする。
【００３５】
ここで、シーン識別子を生成するために用いる特徴量は、シーン変化点を検出するために用いる特徴量とは、一部異なる。例えば、シーンチェンジなどの特徴量や、番組タイトル、番組ジャンルなどの情報は、シーン変化点を検出するために用いても、シーン識別子を生成するための情報としては用いない。シーン識別子を生成するために用いる特徴量の情報は、当該シーン識別子を付与しようとしているシーン区間の特徴を現すためのものであり、人物が含まれているか、テロップが含まれているか、音楽が流れているかなどが用いられる。
【００３６】
そして、記録される放送番組ごとの付加情報ファイルとして、シーン変化点だけでなく、各シーンのシーン識別子を、情報信号に対応付けて記録するようにする。
【００３７】
［実施形態の記録再生装置の第１のハードウエア構成例］
図１は、この実施形態の記録再生装置のハードウエア構成例を示すブロックである。図１において、システムコントローラ部２０は、マイクロコンピュータを備えて構成されるもので、この例の記録再生装置における各種モードの制御およびその他の動作制御を行なう。
【００３８】
このシステムコントローラ部２０には、例えばリモートコマンダ２２を用いた、あるいは、記録再生装置の操作ボタンを通じた、ユーザの操作入力に応じて操作入力情報が、ユーザ入力インターフェース部２１を通じて供給される。システムコントローラ部２０は、入力された操作入力情報を判別し、当該操作入力情報に応じた処理を実行する。
【００３９】
システムコントローラ部２０には、表示処理部２３を通じて、例えばＬＣＤ（Ｌｉｑｕｉｄ  Ｃｒｙｓｔａｌ  Ｄｉｓｐｌａｙ）などからなる表示部２４が接続されており、この表示部２４に、ユーザの操作入力に際して参考となる表示情報が表示される。ユーザは、この表示部２４の表示を見ながら、種々の操作入力をする。
【００４０】
＜記録系処理＞
先ず、図１を参照しながら、この例の記録再生装置の記録系について説明する。  
ユーザが、例えばリモートコマンダ２２を用いて、あるいは、記録再生装置の操作ボタンを通じて、記録指示のコマンド入力をすると、その操作情報が、ユーザインターフェース部２１を通じてシステムコントローラ部２０に供給され、このシステムコントローラ部２０による制御の下で、記録再生装置は、以下のような記録処理を行なう。
【００４１】
受信部２は、この例では、地上波アナログテレビ放送の受信用として、テレビチューナ、映像および音声中間周波回路および映像および音声検波回路を備える。
【００４２】
前述の記録指示のコマンド入力に先立ち、ユーザは、リモートコマンダ２２を用いて、あるいは、記録再生装置の操作ボタンを通じて選局入力操作をする。すると、その操作情報が、ユーザインターフェース部２１を通じてシステムコントローラ部２０に供給され、システムコントローラ部２０は、ユーザの選局操作に応じた放送チャンネルを選択するようにするための選局制御情報を受信部２に供給する。この選局の際、システムコントローラ部２０は、表示処理部２３を通じて表示部２４に選局中の放送チャンネルの表示を行なうので、ユーザは、この表示部２４の表示を見ながら、選局操作をする。
【００４３】
受信部２は、この選局制御情報を受けて、受信アンテナ１で受信したテレビ放送電波から、ユーザが選局した放送チャンネルの放送番組を選択抽出し、当該選択抽出した放送番組の音声信号および映像信号を出力する。
【００４４】
受信部２で選択抽出されたテレビ放送番組の音声信号および映像信号は、記録信号エンコード処理部３に供給されて、所定のサンプリング周波数、所定の量子化ビット数で、Ａ／Ｄ（Ａｎａｌｏｇ  ｔｏ  Ｄｉｇｉｔａｌ）変換信号処理が行われ、その変換後のデジタル音声信号およびデジタル映像信号が、記録エンコード処理される。
【００４５】
ここで記録エンコード処理としては、デジタル音声信号に対しては、例えばＭＰＥＧオーディオやＡＣ−３オーディオ（ドルビーＡＣ−３、またはＡｕｄｉｏ Ｃｏｄｅ Ｎｕｍｂｅｒ ３）などの所定の帯域圧縮方式でデータ圧縮処理が行われる。
【００４６】
また、デジタル映像信号に対しては、記録エンコード処理として、例えばＭＰＥＧビデオやウェーブレット変換などの所定の帯域圧縮方式でデータ圧縮処理が行われる。そして、データ圧縮処理された映像データは、前記圧縮音声データと多重化されて、記録処理部４を通じて内蔵の記録媒体５に記録される。
【００４７】
また、ユーザが内蔵の記録媒体５ではなく、着脱可能な外部記録媒体７への記録を指示している場合には、記録処理部４は、システムコントローラ部２０からの制御信号に応じて、記録信号エンコード処理部３からの多重化データを、外部記録媒体処理部６を通じて外部記録媒体７に記録するようにする。
【００４８】
このとき、記録される放送番組には識別情報（記録番組識別情報という）が付与され、圧縮映像データおよび圧縮音声データは、この記録番組識別情報が付加されて記録媒体５および外部記録媒体７に記録される。この記録番組識別情報は、再生時の検索用に用いられる。また、この記録番組識別情報と共に、あるいは、この記録番組識別情報の一部として、記録番組のタイトル、ジャンル、出演者などの情報をも、放送番組記録情報に対応付けて記録媒体に記録することができる。
【００４９】
ここで、内蔵の記録媒体５は、この例では、ハードディスク装置で構成され、また、外部記録媒体７は、ＤＶＤとされている。
【００５０】
記録エンコード処理部３からのデジタル音声信号およびデジタル映像信号は、特徴量検出部１２に供給されて、予め定められた種々の特徴量が検出され、その検出された特徴量がシーン変化点検出部１３に供給される。
【００５１】
特徴量検出部１２で行なう特徴量の検出としては、番組本編とＣＭとの区切り、複数個のＣＭが連続するとき、それぞれのＣＭの開始点、終了点を検出するためのものとしては、無音区間の検出、黒レベル区間の検出などが用いられる。また、ＣＭ区間の時間長は１５秒、３０秒、４５秒、６０秒などのように、１５秒の倍数となっているので、検出された無音区間や黒レベル区間の時間長さが１５秒の倍数となっているかもＣＭ区間の検出に用いられる。
【００５２】
また、特徴量検出部１２におけるその他の特徴量の検出としては、シーンチェンジの検出、テロップの検出、人物の検出、肌色検出、トーク検出、音楽検出、盛り上がり検出などが用いられる。ここで、盛り上がり検出は、静かな状態から急激な音量変化があったり、大きな拍手があったりすることを検出することにより行なわれる。
【００５３】
すなわち、特徴量検出部１２では、この例では、各種映像特性データおよび各種音声特性データと所定のパラメータデータとにより、所定のテロップ特徴データ（テロップ区間判定データ）、人物特徴データその他の画像特徴データ（画像特徴区間判定データ）、および話者音声特徴データ（話者音声判定データ）、拍手歓声特徴データ（拍手歓声判定データ）、その他の音声特徴データ（音声特徴区間判定データ）の各種特徴抽出処理が行われる。
【００５４】
なお、特徴量検出部１２には、記録エンコード処理部３からの、データ圧縮処理過程の途中で得られるデータが入力される。この例では、後述するように、再生信号についても特徴量検出を行ない、シーン変化点の検出を行なうことを考慮して、データ圧縮処理過程の途中で得られるデータを用いて特徴量の検出およびシーン変化点検出部１３においてシーン変化点の検出を行なうようにする。
【００５５】
このようにすれば、再生信号について、特徴量検出およびシーン変化点の検出を行なう際に、再生信号を完全に圧縮デコードして、元のデジタル音声データおよびデジタル映像データに戻す必要がなく、圧縮デコード処理の途中のデータを用いて特徴量検出およびシーン変化点検出を行なうことができ、検出処理が早くなるというメリットがある。
【００５６】
シーン変化点検出部１３では、特徴量検出部１２で検出された特徴量からシーン変化点を検出する。この場合に、シーン変化点検出部１３は、前述したように、例えば番組本編とＣＭとの区切りのみではなく、番組本編内の番組宣伝の区間の開始点および終了点、番組オープニングや番組エンディングの区間の開始点や終了点の他、番組本編内やＣＭ区間内、番組宣伝の区間内で、場面が大きく変化する場面変化点、複数個のＣＭが連続するとき、それぞれのＣＭの開始点、終了点などを、区切りとしてのシーン変化点（特徴点）として検出する。
【００５７】
この例の場合、このシーン変化点の検出データは、ＣＭや番組本編、番組オープニング、番組エンディングの開始点および終了点の位置情報（例えばＣＭを含めた放送番組の先頭位置を基準にしたフレーム番号（あるいはフィールド番号））である。
【００５８】
なお、受信した放送番組の情報に、番組タイトルや番組のジャンルなどの情報が含まれている場合には、特徴量検出部１２では、これら番組タイトルやジャンルの情報をも、特徴量として検出し、シーン変化点検出部１３に送る。したがって、シーン変化点検出部１３は、これら番組タイトルやジャンルの情報をも用いて、シーン変化点の検出を行なう。
【００５９】
そして、特徴量検出部１２で検出された特徴量の情報と、シーン変化点検出部１３で検出されたシーン変化点の情報とは、シーン識別子生成部１４に供給される。シーン識別子生成部１４は、また、特徴量記憶部１５に接続されている。
【００６０】
特徴量記憶部１５には、過去に、特徴量検出部１２で検出された特徴量に基づいてシーン変化点検出部１３で検出されたシーン変化点で特定されたシーンについての、特徴量が、シーン識別子生成部１４で生成されたシーン識別子と対応付けられて記憶されている。ただし、この特徴量記憶部１５には、１つのシーン識別子に対しては、１つのシーンの特徴量が記憶されている。
【００６１】
ここで、この例では、１つのシーン識別子を付与するために、上述したように、複数種類の特徴量を用いるもの（シーン識別子を生成するための特徴量は複数軸）であるので、それらの複数種類の特徴量を、１つのシーン識別子に対応する、１つのシーンの特徴量として、特徴量記憶部１５に記憶する。そして、特徴量記憶部１５に記憶されている特徴量のデータは、後述するように、データ圧縮されて記憶されている。
【００６２】
シーン識別子生成部１４は、システムコントローラ部２０の制御の下に、記録時に、あるいは再生に先立って、図２に示すように、シーン変化点検出部１３からのシーン変化点の隣接するもので特定されるシーン区間毎に、シーン識別子を付与する。この場合に、シーン識別子生成部１４は、当該シーン識別子を付与しようとしているシーン区間の特徴量を、特徴量検出部１２から得る。
【００６３】
そして、シーン識別子生成部１４は、取得した当該シーン区間の特徴量と、特徴量記憶部１５に記憶されている特徴量をデータ伸長したものとを順次に比較し、特徴量記憶部１５に記憶されている特徴量の中に、同じ特徴量ものがあると判別したときには、当該シーンには、特徴量記憶部１５の、前記同じ特徴量として判別された特徴量に対応して記憶されているシーン識別子を付与するようにする。
【００６４】
また、シーン識別子生成部１４は、特徴量記憶部１５に記憶されている特徴量をデータ伸長したものの中には、特徴量検出部１２から取得した当該シーン区間の特徴量と同じと判別されるものはないと判別したときには、新たなシーン識別子を、当該シーンに付与するようにする。そして、その新たなシーン識別子と、当該シーンの特徴量を圧縮した特徴量データとを、特徴量記憶部１５に記憶するようにする。
【００６５】
例えば図２の例であれば、各シーン変化点で区切られる分節区間である各シーンに対して、シーン識別子が付与される。この図２から分かるように、各シーンは、一般にフレーム数（またはフィールド数）が異なるが、このフレーム数やフィールド数も、特徴量の一つとなっている。
【００６６】
以上説明したように、シーン識別子は、特徴量検出部１２での特徴量を用いて、過去に検出した特徴量と同じであるかどうかを判別し、同じであれば同じシーン識別子を付与し、異なる場合には、新たなシーン識別子を付与して、それぞれのシーン識別子と特徴量とを対応して特徴量記憶部１５に記憶するようにする。
【００６７】
したがって、この例では、特徴量記憶部１５には、シーン識別子として、例えば識別番号等が割り当てられると共に、そのシーン識別子と、当該シーンの特徴量とが対応されて記憶される。
【００６８】
ところで、前述したように、１つのシーン識別子に対応する特徴量は、複数種類のものであり、それをそのまま記憶するようにしたのでは、特徴量記憶部１５の容量が大きなものとなる問題がある。
【００６９】
この問題を軽減する方法として、図３に、特徴量を圧縮する方法の一例を説明する。図３においては、説明の簡単のために、ある１０フレームの区間からなるシーンについてのシーン識別子を、２個の特徴量（特徴評価値）を用いて生成する場合として説明する。ここで、特徴評価値１は、例えば人物の有無であり、特徴評価値２は、例えばテロップ文字の有無であるとする。
【００７０】
そして、図３（Ａ）に示す１０フレームのシーン区間において、特徴評価値１は、図３（Ｂ）に示すような変化をし、特徴評価値２は、図３（Ｃ）に示したような変化をしたとする。
【００７１】
この例では、特徴評価値１および特徴評価値２は、それぞれ時間方向に差分を求める。すると、特徴評価値１および特徴評価値２の差分結果は、それぞれ図３（Ｄ）および図３（Ｅ）に示すようなものとなる。
【００７２】
シーン識別子は、この差分結果についてランレングス符号化圧縮をして生成する。すなわち、図３の例であれば、ハイレベルの値を「Ａ」とし、ローレベルの値を「Ｂ」として、各値の時間軸方向の長さを数値により表わすことで、圧縮することができる。
【００７３】
図３の例の場合には、特徴評価値１は、当該シーンについて、「Ａ１Ｂ４Ａ２Ｂ３」と表わすことができ、また、特徴評価値２は、当該シーンについて、「Ａ１Ｂ１Ａ２Ｂ６」と表わすことができる。シーン識別子は、これら複数個の特徴評価値のそれぞれの圧縮値により構成する。
【００７４】
この例では、特徴量記憶部１５には、図５に示すように、以上のようにして圧縮された特徴量が、シーン識別子に対応して、記憶される。
【００７５】
この例によれば、シーン識別子生成部１４では、特徴量記憶部１５から得たそれぞれのシーン識別子についての特徴量（特徴評価値のそれぞれ）の圧縮値から元の特徴量（特徴評価値のそれぞれ）を復元し、シーン変化点検出部１３で検出されたシーン区間における、特徴量検出部１２で検出された対応する特徴量（特徴評価値のそれぞれ）と比較することで、同じシーン識別子を付与することができるシーンであるか否かを判別することができる。あるいは、シーン変化点検出部１３で検出されたシーン区間における、特徴量検出部１２で検出された対応する特徴量（特徴評価値のそれぞれ）を上述のように圧縮し、その圧縮したものと、特徴量記憶部１５から得たそれぞれのシーン識別子についての特徴量（特徴評価値のそれぞれ）とを比較することで、同じシーン識別子を付与することができるシーンであるか否かを判別することができる。
【００７６】
シーン識別子生成部１４は、記録時には、あるいは再生に先立ったシーン識別子の生成時には、以上のようにしてシーン変化点検出部１３で検出したシーン変化点と、このシーン変化点の隣接するもので特定される各シーンについて生成したシーン識別子とを、例えば図４のように対応付けたものを付加情報ファイルとして記録処理部４に送る。
【００７７】
記録処理部４は、システムコントローラ部２０の制御の下に、シーン変化点と、各シーンの識別子とを対応させた情報を含む付加情報ファイルを、放送番組の記録データに対応付けて記録媒体５の所定の記録領域、この例では、付加情報ファイルの領域に記録する。
【００７８】
あるいは、シーン識別子部１３で得られたシーン変化点の位置データとシーン識別子生成部１４で生成されたシーン識別子とは、記録処理部４から外部記録媒体処理部６に供給され、この外部記録媒体処理部６で記録処理がなされて、外部記録媒体７の所定の記録領域、この例では、その付加情報ファイルの領域に記録される。
【００７９】
この場合、シーン変化点の位置データの付加情報ファイルは、内蔵の記録媒体５または外部記録媒体７に記録される、対応する放送番組の映像データおよび音声データとは、前述した記録番組識別情報により対応付けられて、前記付加情報ファイルの領域に記録される。
【００８０】
また、シーン変化点の位置データは、この実施形態では、例えば、記録される放送番組のフレーム番号（またはフィールド番号）が用いられることにより、当該記録される放送番組の一塊について、その映像データおよび音声データのフレーム位置（またはフィールド位置）と対応付けられているものである。
【００８１】
なお、シーン変化点検出部からのシーン変化点の位置データとシーン識別子生成部１４で生成されたシーン識別子とは、付加情報ファイルとして記録するのではなく、記録信号エンコード処理部３内の多重化処理部に供給し、圧縮エンコード処理された映像データおよび音声データに多重化して、記録媒体５または外部記録媒体７の所定の記録領域に記録するようにしてもよい。
【００８２】
なお、特徴量検出部１２、シーン変化点検出部１３およびシーン識別子生成部１４の処理は、システムコントローラ部２０のマイクロコンピュータによるソフトウエア処理とすることもできる。
【００８３】
［シーン識別子および特徴量の圧縮方法の他の例］
なお、さらに、特徴量記憶部１５の容量を小さくすることができる方法としては、以下のような方法がある。
【００８４】
すなわち、上述の例の場合には、図５に示したように、シーン識別子と特徴量との両方を、特徴量記憶部１５に記憶する必要があるため、特徴量記憶部１５の容量が大きなものとなる。
【００８５】
この問題を軽減する方法の一つとして、特徴量そのものをシーン識別子とする方法がある。この方法によれば、シーン識別子としての特徴量のみを記憶するだけでよくなるので、特徴量記憶部１５の記憶容量が大型化することを軽減することができる。この場合にも、シーン識別子である特徴量は、前述したように圧縮するものである。
【００８６】
このようにすれば、シーン識別子＝シーン区間の特徴量データ、であるので、特徴量記憶部１５に記憶するデータ容量を少なくすることができるものである。
【００８７】
また、上述した特徴量データの圧縮方法は、シーン区間の時間軸方向の情報をも加味した可逆圧縮を目指したものであるが、シーン識別子に対応する特徴量は、前述したように複数種類の特徴量を用いることから、シーンの完全同一ではなく、所定の類似範囲の特徴量を有するシーン区間は同一のシーン識別子とするようにするのであれば、非可逆圧縮方法を用いることにより、記憶する特徴量データ量を、より圧縮して少なくすることができる。
【００８８】
なお、特徴量データの圧縮方法としては、上述した方法に限らず、種々の方法が採用できる。また、記録および記憶容量が大きいものでよい場合には、特徴量データそのものをシーン識別子として用いることもできる。
【００８９】
なお、この例の場合には、特徴量記憶部１５は、シーン識別子記憶部となっている。
【００９０】
＜再生系処理＞
次に、図１を参照しながら、この例の記録再生装置の再生系について説明する。  
この実施形態の記録再生装置のユーザインターフェース２１およびリモートコマンダ２２は、記録ボタン、再生ボタン、停止ボタン、早送り操作ボタン、巻き戻し操作ボタン、スキップ再生指示操作ボタンなどを備えている。
【００９１】
そして、この例では、再生モードにおいてノーマル再生速度での再生中に早送り操作ボタンや巻き戻し操作ボタンが押下操作されると、システムコントローラ部２０は、当該押下操作区間を早送り再生や巻き戻し再生するように制御する。また、再生モードにおいてノーマル再生速度での再生中にスキップ再生指示操作ボタンが押下操作されると、システムコントローラ部２０は、その時点から一定時間分だけ先の再生位置まで、スキップして再生をするように制御する。
【００９２】
また、この例の記録再生装置は、再生モードとして、通常再生モードの他、後述するようなユーザ評価を反映した再生処理を実行するユーザ評価反映再生モードを備えている。このため、この例の記録再生装置では、ユーザインターフェース２１およびリモートコマンダ２２は、通常再生モードを指定する通常再生ボタンと、ユーザ評価反映再生モードを指定するユーザ評価反映再生ボタンとを備えている。なお、ユーザ評価反映再生モードを指定するためには、通常再生ボタンに加えて、ユーザ評価反映再生を指定するボタンを操作するように構成してもよい。
【００９３】
また、この実施形態では、ユーザ評価反映再生モードを実現するために、システムコントローラ部２０に対して、ユーザ評価値生成部１７と、ユーザ評価値累積蓄積部１８を接続して設ける。
【００９４】
ユーザは、リモートコマンダ２２を用いて、あるいは、記録再生装置の操作ボタンを通じて、いずれかの再生モードの開始指示のコマンド入力をする。すると、その操作情報が、ユーザインターフェース部２１を通じてシステムコントローラ部２０に供給され、このシステムコントローラ部２０による制御の下で、記録再生装置は、以下のような再生処理を行なう。
【００９５】
＜通常再生モード動作＞
先ず、始めに通常再生モードの動作について説明する。  
ユーザが、記録媒体５あるいは外部記録媒体７からの通常再生モードによる再生指示を、例えばリモートコマンダ２２を通じて入力すると、ユーザ入力インターフェース部２１を通じてシステムコントローラ部２０にそれが入力される。システムコントローラ部２０は、このユーザ入力を受けて、通常再生モードを行なうように読み出し制御部８を制御する。以下の説明においては、例えば記録媒体として、記録媒体５がユーザにより選択された場合について、説明する。
【００９６】
通常再生モードにおいては、再生処理部９により、記録媒体５から、ユーザにより再生指定された放送番組の圧縮映像データおよび圧縮音声データが読み出され、再生デコード出力部１０を供給される。
【００９７】
再生デコード出力部１０では、再生された放送番組の映像データおよび音声データが、映像データと音声データとに分離される。分離された圧縮音声データは、記録時に帯域圧縮処理された信号処理方式に対応する所定のデコード処理がなされ、そのデコード処理されて得られたデジタル音声信号が、Ｄ／Ａ（Ｄｉｇｉｔａｌ  ｔｏ  Ａｎａｌｏｇ）変換処理され、これよりアナログ音声信号として、出力端子１１ａを通じて出力される。
【００９８】
また、再生デコード出力部１０では、分離された圧縮映像データは、記録時に帯域圧縮処理された信号処理方式に対応する所定のデコード処理がなされて、デジタル映像信号とされた後、Ｄ／Ａ変換処理が行なわれ、アナログ映像信号として出力端子１１ｖを通じて出力される。
【００９９】
そして、この実施形態の記録再生装置は、再生モード（通常再生モードおよびユーザ評価反映再生モードのいずれの再生モードも含む）において、ノーマル速度再生中に、ユーザが前記早送り操作ボタンを操作したり、前記スキップ再生指示操作ボタンを操作したりした場合には、当該操作がなされた再生信号区間は、ユーザにとって再生を要しない区間であるのでユーザ評価が負の方向である区間と判定し、その区間を構成する1〜複数シーンのシーン識別子に対応付けて負のユーザ評価値をユーザ評価値生成部１７で生成し、生成したユーザ評価値を、ユーザ評価値累積蓄積部１８に記憶しておくようにする。
【０１００】
なお、この実施形態では、ノーマル速度再生のままとされた再生区間に対応する再生信号の区間は、ユーザ評価が正の方向であるとして、正のユーザ評価値をユーザ評価値生成部１７で生成し、生成した正のユーザ評価値を、その区間を構成する1〜複数シーンのシーン識別子に対応付けて、ユーザ評価値累積蓄積部１８に記憶しておくようにする。
【０１０１】
ここで、早送り再生操作ボタンやスキップ指示操作ボタンの操作開始点が、シーン変化点と一致していない場合には、当該操作開始点が含まれるシーンに対しては負の方向のユーザ評価値を割り当てる場合と、当該操作開始点が含まれるシーンは、正の方向のユーザ評価値を割り当て、その次のシーン変化点から始まるシーンから負の方向のユーザ評価値を割り当てる場合の２通りがあり、いずれを用いても良い。しかし、ユーザが評価をする際に当該シーンを視聴してからボタン操作することを考えると、操作開始点では、ユーザは負の方向の評価をしていると考えられ、当該操作開始点が含まれるシーンに対しては負の方向のユーザ評価値を割り当てる方が自然である。
【０１０２】
同様に、早送り再生操作ボタンやスキップ指示操作ボタンの操作終了点が、シーン変化点と一致していない場合には、当該操作終了点が含まれるシーンに対して負の方向のユーザ評価値を割り当てる場合と、当該操作終了点が含まれるシーンに対して正の方向のユーザ評価値を割り当てる場合の２通りがあり、いずれを用いても良い。しかし、この場合も、ユーザは、評価をする際に当該シーンを視聴してからボタン操作することを考えると、操作終了点では、ユーザは正の方向の評価をしていると考えられ、当該操作終了点が含まれるシーンに対しては正の方向のユーザ評価値を割り当てる方が自然である。
【０１０３】
記録媒体に放送番組を記録した後、最初の再生が行なわれる前には、この実施形態では、ユーザ評価値累積蓄積部１８の各シーンのシーン識別子に対して例えばユーザ評価値は「０」が記憶される。そして、このユーザ評価値「０」は、この例では、システムコントローラ部２０は、ノーマル速度で再生すべき区間として認識するようにされる。
【０１０４】
この実施形態では、通常再生モードにおいては、システムコントローラ部２０の制御の下に、ユーザ評価値生成部１７では、再生されたシーンのシーン識別子を認識し、その認識したシーン識別子の過去のユーザ評価値を、ユーザ評価値累積蓄積部１８から読み出す。そして、ユーザ評価値生成部１７は、当該再生中のシーンの再生態様を認識し、認識した再生態様に対して設定されたユーザ評価値を、認識したシーン識別子のそれまでの過去のユーザ評価値に累積加算してユーザ評価値を更新し、更新したユーザ評価値を対応するシーン識別子に対応付けて、ユーザ評価値累積蓄積部１８に書き戻すようにする。
【０１０５】
図６に、ノーマル再生、早送り再生、スキップ再生の各種再生態様に対して割り付けられたユーザ評価値の例を示す。すなわち、図６の例においては、ノーマル再生されたシーンのユーザ評価値は「＋１」、早送り再生されたシーンのユーザ評価値は「−５」、スキップ再生させたシーンのユーザ評価値は「−１０」が、それぞれ割り付けられている。
【０１０６】
また、図７に、ユーザ評価値累積蓄積部１８の記憶内容である、再生モードにおけるユーザ操作に基いたユーザ評価を反映したシーン識別子に対応したユーザ評価値の累積値の例を示す。
【０１０７】
記録後、最初の再生がなされるまでは、そのシーンのシーン識別子のユーザ評価値は、この例では、「０」とされているが、再生が１回でもなされると、そのシーン識別子のユーザ評価値は書き換えられる。そして、最初の再生で、ノーマル再生されたとすると、そのシーンのユーザ評価値は、「１」に変わる。そして、その後の再生で、ノーマル再生が行なわれると、ユーザ評価値は、「１」が累積加算されるものとなる。
【０１０８】
そして、そのシーンで早送り再生操作がなされたり、スキップ再生操作がなされたりすると、そのユーザ操作区間のシーンのシーン識別子に対応するユーザ評価値は、早送り再生操作がなされたときには、それまでの値に「−５」が加算された値となり、また、スキップ操作がなされたときには、それまでの値に「−１０」が加算された値となる。
【０１０９】
なお、通常再生モードがユーザにより指示されたときに、記録媒体５または記録媒体７に記録された放送番組のデータに、付加情報ファイルが対応して記録されていないときには、この実施形態の記録再生装置は、ユーザに「必要な付加情報ファイルがないので、生成しますか？」という問合せをする。
【０１１０】
そして、この問合せに対して、ユーザが「ＹＥＳ（付加情報ファイルを生成する）」と返答操作したときには、記録再生装置のシステムコントローラ部２０は、再生モードの実行に先立ち、記録された放送番組の記録データを読み出して、再生処理部９および再生デコード部１０を通じて特徴量検出部１２に供給し、特徴量検出およびシーン変化点検出部１３でのシーン変化点検出、さらにシーン識別子生成部１４でのシーン識別子の付与処理を実行するように制御する。そして、前述の図４に示したような、検出されたシーン変化点の情報とシーン識別子とを含む付加情報ファイルを、再生対象の放送番組の記録データに対応付けて、記録媒体５または外部記録媒体７に記録するようにする。
【０１１１】
これにより、例えば、外部記録媒体７が、この実施形態の記録再生装置によって記録されたものではなく、付加情報ファイルが記録されていなくても、この実施形態の記録再生装置におけるユーザ評価反映再生モードを行なえるようになる。また、付加情報ファイルが記録されていない外部記録媒体７から記録媒体５に複製記録された放送番組の記録データについても同様である。
【０１１２】
＜ユーザ評価反映再生モード＞
このユーザ評価反映再生モードにおいては、付加情報ファイルのシーン変化点の情報およびシーン識別子を先読みし、先読みしたシーン識別子に基いて、ユーザ評価値累積蓄積部１８から、再生しようとするシーンのユーザ評価値を読み出す。そして、読み出したユーザ評価値を参照しながら再生を実行する。すなわち、この例では、ユーザ評価値が正の値であるシーンは、ノーマル速度再生し、ユーザ評価値が負の値であるシーンは、この例では、スキップ再生するように制御する。なお、ユーザ評価値が負の値であるシーンは、早送り再生するように制御することも可能である。
【０１１３】
そして、このユーザ評価反映再生モードにおいては、この実施形態では、ユーザ評価値の更新は行なわない。もちろん、通常再生モードのときと同様に、ユーザ評価値の更新を行なうようにしてもよい。
【０１１４】
ユーザ評価値の更新を行なう場合には、ノーマル速度再生すべきであると判定されたシーンについて、そのままノーマル速度再生がされたときには、そのシーンのユーザ評価値には、「１」が累積加算される。また、ノーマル速度再生すべきであると判定されたシーンについて、ユーザ操作により早送り再生操作されたり、スキップ再生操作されたりしたときには、それらのシーンのユーザ評価値には、「−５」または「−１０」が累積加算される。そして、それらの新たなユーザ評価値に更新された付加情報ファイルが、再生後、記録媒体に書き戻される。
【０１１５】
ただし、このユーザ評価反映再生モードにおいて、ユーザ評価値の更新を行なう場合、ユーザ評価に基づいて早送り再生されたり、スキップ再生されたりしたシーンについてのユーザ評価値は、この例では、直接的なユーザ操作に基づいて早送り再生したり、スキップ再生したりしたのではないので、元のままとされる。
【０１１６】
なお、このユーザ評価反映再生モードがユーザにより指示されたときに、記録媒体５または記録媒体７に記録された放送番組のデータに、付加情報ファイルが対応して記録されていないときには、記録再生装置は、ユーザに「必要な付加情報ファイルがないので、ユーザ評価反映再生モードはできません」というメッセージを出して、注意を喚起するようにする。
【０１１７】
そして、この問合せに対して、ユーザが「ＹＥＳ（付加情報ファイルを生成する）」と返答操作したときには、記録再生装置のシステムコントローラ部２０は、再生モードの実行に先立ち、記録された放送番組の記録データを読み出して、再生処理部９および再生デコード部１０を通じて特徴量検出部１２に供給し、特徴量検出およびシーン変化点検出部１３でのシーン変化点検出、さらにシーン識別子生成部１４でのシーン識別子の付与処理を実行するように制御する。そして、前述の図４に示したような、検出されたシーン変化点の情報とシーン識別子とを含む付加情報ファイルを、再生対象の放送番組の記録データに対応付けて、記録媒体５または外部記録媒体７に記録するようにする。
【０１１８】
これにより、例えば、外部記録媒体７が、この実施形態の記録再生装置によって記録されたものではなく、付加情報ファイルが記録されていなくても、この実施形態の記録再生装置におけるユーザ評価反映再生モードを行なえるようになる。また、付加情報ファイルが記録されていない外部記録媒体７から記録媒体５に複製記録された放送番組の記録データについても同様である。
【０１１９】
以上のように、この実施形態におけるユーザ評価反映再生モードにおいては、再生対象の放送番組の記録データの付加情報ファイルから、放送番組の記録データの各シーン区間の再生に先立ち、当該シーン区間のシーン識別子を先読みし、その先読みしたシーン識別子を検索子として、ユーザ評価値累積蓄積部１８を検索して、当該シーン識別子に対応するユーザ評価値の累積値を読み出す。そして、そのユーザ評価値の累積値に基づいて、対応するシーン区間の再生態様を決定するようにする。
【０１２０】
したがって、この実施形態のユーザ評価反映再生モードにおいては、一度も再生されたことの無い記録データであっても、付加情報ファイルが記録されている放送番組の記録データであれば、その付加情報ファイルに記録されている各シーンのシーン識別子により、ユーザ評価値累積蓄積部１８の累積ユーザ評価値を参照し、そのシーン識別子に対応する累積ユーザ評価値に基づいて、対応するシーン区間をノーマル速度再生するか、早送り再生するか、あるいはスキップ再生するかを決定して再生を実行することができる。
【０１２１】
また、再生時にユーザが、いつも早送り再生指示操作やスキップ指示操作してしまう特定の番組宣伝、連続ドラマの番組オープニングや番組エンディングのシーンは、ユーザ評価反映再生モードで再生をすることで、自動的に早送り再生あるいはスキップ再生することができるようになる。
【０１２２】
［記録媒体５と外部記録媒体７との間の複製記録］
この例の記録再生装置は、記録媒体５に記録された映像および音声データ、さらに記録されている場合には付加情報ファイルを外部記録媒体７に複製記録する機能と、逆に、外部記録媒体７に記録された映像および音声データ、さらに記録されている場合には付加情報ファイルを記録媒体５に複製記録する機能とを備える。
【０１２３】
すなわち、ユーザがユーザ入力インターフェース部２１を通じて、記録媒体５から外部記録媒体７への複製記録を指示入力すると、システムコントローラ部２０の制御にしたがい、読み出し制御部８は、記録媒体５から映像および音声データを読み出し、再生処理部９に供給する。記録媒体５に、複製記録する情報信号に関連する付加情報ファイルも記録されている場合には、読み出し制御部８は、当該付加情報ファイルも読み出して、再生処理部９に送る。再生処理部９は、システムコントローラ部２０の制御にしたがい、記録処理部４に映像および音声データ、また、付加情報ファイルのデータを送る。
【０１２４】
記録処理部４は、システムコントローラ部２０の制御にしたがって、再生処理部９からのデータを、記録媒体処理部６を通じて外部記録媒体７に送り、複製記録を行なうようにする。
【０１２５】
外部記録媒体７に記録されている映像および音声データ、また、付加情報ファイルのデータを、記録媒体５に複製記録する指示入力がユーザ入力インターフェース部２１を通じてシステムコントローラ部２０に入力された場合にも、上述と同様にして、複製記録が実行されるものである。
【０１２６】
［実施形態の記録再生装置における主要な動作処理の説明］
次に、上述のように構成された実施形態の記録再生装置における主要な動作処理を、図８〜図１５のフローチャートを参照しながら説明する。以下に説明するフローチャートの各ステップの処理は、システムコントローラ部２０を構成するマイクロコンピュータが実行するものである。
【０１２７】
すなわち、図８に示すように、システムコントローラ部２０は、ユーザ入力インターフェース部２１の出力を監視することにより、ユーザ操作入力があるか否か監視する（ステップＳ１）。そして、ユーザ操作入力があったと判別したときには、システムコントローラ部２０は、当該ユーザ操作入力は、記録開始操作であるか否か判別し（ステップＳ２）、記録開始操作であると判別したときには、記録処理ルーチンと、特徴量検出およびシーン変化点の検出処理さらにシーン識別子の付与ルーチンとを、並行して実行する（ステップＳ３）。
【０１２８】
そして、システムコントローラ部２０は、記録停止のユーザ操作があったか否か監視し（ステップＳ４）、記録停止のユーザ操作を検知しないときには、ステップＳ３に戻って、記録処理ルーチンと、特徴量検出およびシーン変化点の検出処理さらにシーン識別子付与ルーチンとの並行実行を継続し、記録停止のユーザ操作がなされたと判別したときには、記録後処理を実行（ステップＳ５）した後、ステップＳ１に戻る。
【０１２９】
ステップＳ５の記録後処理においては、システムコントローラ部２０は、シーン識別子生成部１４を制御して、特徴量検出部１２で検出された特徴量のデータと、シーン変化点検出部１３で検出されたシーン変化点のデータとを用いて、各シーンのシーン識別子を生成させ、生成されたシーン識別子と、シーン変化点とを、前述した図４に示すように対応付けたものを、付加情報ファイルに含めて、記録した放送番組の情報に対応付けて記録媒体に記録するように制御する。この場合、付加情報ファイルと、記録した放送番組の情報との対応付けは、記録した放送番組の識別情報により行なわれる。
【０１３０】
なお、記録処理と並行して、リアルタイムでなされたシーン変化点検出の検出結果、そのものを付加情報ファイルに含めて記録するのではなく、記録後処理において、シーン変化点検出部１３で、記録処理と並行してなされたシーン変化点検出の検出結果にさらに検討を加えて、より確からしいシーン変化点を検出して、当該より確からしいシーン変化点と、そのシーン変化点で特定される各シーンのシーン識別子とを付加情報ファイルに含めて記録するようにしてもよい。
【０１３１】
ステップＳ３で実行される、記録処理と特徴量検出およびシーン変化点の検出処理さらにシーン識別子生成処理との並行処理ルーチンを、図９のフローチャートを参照して説明する。
【０１３２】
先ず、システムコントローラ部２０は、記録しようとするデータを取り込む（ステップＳ１１）。すなわち、システムコントローラ部２０は、記録しようとするデータが受信部２からの放送番組の情報であるときには、受信部２で選択受信した放送番組の情報を記録信号エンコード処理部３に供給するように指示する。
【０１３３】
次に、システムコントローラ部２０は、記録信号エンコード処理部３に、放送番組の情報（映像情報および音声情報）を記録エンコード処理するように指示し（ステップＳ１２）、記録処理部４を制御して、ユーザにより選択指定された記録媒体５または外部記録媒体７の一方に、その記録エンコード処理された放送番組の映像情報および音声情報を記録する（ステップＳ１３）。
【０１３４】
そして、システムコントローラ部２０は、ユーザにより記録終了指示がなされたか否か判別し（ステップＳ１４）、記録終了指示がなされてはいないと判別したときには、ステップＳ１１に戻って、記録処理を継続する。
【０１３５】
ステップＳ１１〜Ｓ１４は、記録処理ルーチンを構成するもので、この記録処理ルーチンと並行して特徴量検出、シーン変化点検出およびシーン識別子生成処理のルーチンが実行される。
【０１３６】
すなわち、システムコントローラ部２０は、ステップＳ１１で取り込まれた記録すべきデータを、特徴量検出部１２にも供給するように指示すると共に、特徴量検出部１２に特徴量検出処理の実行を指示する（ステップＳ１５）。なお、前述したように、この例では、記録信号エンコード処理部３からの圧縮途中のデータが特徴量検出部１２に供給される。
【０１３７】
特徴量検出部１２は、この実行指示を受けて、前述した種々の特徴量の検出を実行し、その処理結果をシーン変化点検出部１３に供給する。シーン変化点検出部１３は、システムコントローラ部２０の実行指示を受けて、上述したシーン変化点の検出処理を実行する（ステップＳ１６）。そして、システムコントローラ部２０は、特徴量検出部１２で検出された特徴量データと、シーン変化点検出部１３で検出されたシーン変化点のデータとを、内蔵するバッファメモリなどに記憶保持しておく（ステップＳ１７）。ここで、特徴量検出部１２で検出された特徴量データをも記憶保持しておくのは、より確からしいシーン変化点を、再生成する際に用いるためと、シーン識別子を生成するために用いるためである。
【０１３８】
そして、システムコントローラ部２０は、ユーザにより記録終了指示がなされたか否か判別し（ステップＳ１８）、記録終了指示がなされてはいないと判別したときには、ステップＳ１５に戻って、特徴量検出およびシーン変化点検出の処理を継続する。
【０１３９】
なお、ステップＳ１４の判別処理とステップＳ１８の判別処理は、実際には、別々の判別処理ではなく、同一の判別処理であるが、ここでは、２つの処理ルーチンを並列に記述したため、便宜上、図９のように、２つの判別ステップに分離して記載したものである。
【０１４０】
そして、システムコントローラ部２０は、ステップＳ１４、ステップＳ１８で、ユーザにより記録終了指示がなされたと判別したときには、シーン識別子生成部１４に指示して、バッファメモリに保持している特徴量データとシーン変化点データを用いて、記録する放送番組の各シーンのシーン識別子を生成させるようにする（ステップＳ１９）。このシーン識別子の生成処理については、後で詳述する。
【０１４１】
そして、システムコントローラ部２０は、記録処理部４に対し、図４に示したように、隣接する２個のシーン変化点の情報と、その隣接する２個のシーン変化点で特定される各シーンについてステップＳ１９で生成されたシーン識別子の情報とを含めた付加情報ファイルを、放送番組の記録データに対応付けた状態で、放送番組の記録データを記録した記録媒体に記録するように制御する（ステップＳ２０）。
【０１４２】
次に、図９のステップＳ１９でのシーン識別子の生成処理について、図１０のフローチャートを参照しながら説明する。この図１０のフローチャートの各ステップの処理は、この例では、システムコントローラ２０の制御の下、シーン識別子生成部１４で実行されるものである。なお、システムコントローラ２０のマイクロコンピュータが、シーン識別子生成部１４の機能をソフトウエアとして備えるように構成してもよい。
【０１４３】
先ず、システムコントローラ部２０は、最初のシーンのシーン変化点を指定して（ステップＳ３１）、シーン識別子生成部１４に対して、バッファメモリに保持されていた、そのシーン変化点の情報と、そのシーン変化点の情報で特定されるシーン区間の特徴量を、渡す（ステップＳ３２）。
【０１４４】
シーン識別子生成部１４は、取得したシーン区間の特徴量と、特徴量記憶部１５に記憶されている過去に付与されたシーン識別子についての特徴量とを比較する（ステップＳ３３）。このとき、特徴量記憶部１５に記憶されている特徴量は、圧縮されているので、シーン識別子生成部１４は、圧縮を解凍して、取得したシーン区間の特徴量と比較する。
【０１４５】
そして、シーン識別子生成部１４は、取得したシーン区間の特徴量と、同一であると判定される特徴量が、特徴量記憶部１５に記憶されたものの中にあるか否か判別する（ステップＳ３４）。
【０１４６】
ステップＳ３４で、取得したシーン区間の特徴量と、同一であると判定される特徴量が、特徴量記憶部１５に記憶されたものの中にあると判別したときには、特徴量記憶部１５に記憶されている、同一であると判定された特徴量に付与されているシーン識別子を、当該取得したシーン区間に対して付与する（ステップＳ３５）。
【０１４７】
また、ステップＳ３４で、取得したシーン区間の特徴量と、同一であると判定される特徴量が、特徴量記憶部１５に記憶されたものの中には存在しないと判別したときには、新たなシーン識別子を、当該シーンに対して生成して付与し（ステップＳ３６）、当該生成付与した新たなシーン識別子と、そのシーン区間の特徴量とを、特徴量記憶部１５に記憶する（ステップＳ３７）。また、この例では、このステップＳ３７においては、ユーザ評価値累積蓄積部１８に、当該新たなシーン識別子と、そのユーザ評価値の初期値（例えば「０」）とが、追加記録される。
【０１４８】
そして、ステップＳ３５またはステップＳ３７の次には、システムコントローラ部２０は、ステップＳ３８に進んで、記録された放送番組の最後のシーンまでについてのシーン識別子の生成処理が終了したか否か判別し、終了してはいないと判別したときには、次のシーンのシーン変化点を指定し（ステップＳ３９）、ステップＳ３２に戻って、このステップＳ３２以降の処理を繰り返す。
【０１４９】
また、ステップＳ３８で、記録された放送番組の最後のシーンまでについてのシーン識別子の生成処理が終了したと判別したときには、このシーン識別子の生成付与処理ルーチンを終了し、図９の記録処理ルーチンに戻る。システムコントローラ部２０は、前述したように、このシーン識別子の生成付与処理ルーチンが終了すると、図４に示したような、シーン変化点と、当該シーン変化点で特定される各シーンのシーン識別子とを対応付けたデータを、付加情報ファイルとして、対応する放送番組の記録データに対応付けて記録する。
【０１５０】
次に、図８のステップＳ２で、操作入力は、記録開始操作ではないと判別したときには、システムコントローラ部２０は、操作入力は、ユーザ評価反映再生開始指示操作であるか否か判別する（図１１のステップＳ４１）。このステップＳ４１で、操作入力は、ユーザ評価反映再生開始指示操作ではないと判別したときには、システムコントローラ部２０は、操作入力は、通常再生開始指示操作であるか否か判別し（ステップＳ４２）、そうではないと判別したときには、その操作入力に応じたその他の処理を実行する（ステップＳ４３）。そして、その処理後、図８のステップＳ１に戻り、このステップＳ１以降の処理を繰り返す。
【０１５１】
そして、ステップＳ４２で、操作入力は、通常再生開始指示操作であると判別したときには、システムコントローラ部２０は、操作入力により指定された再生対象の記録媒体５または７から、指定された放送番組の記録データと、その付加情報ファイル（シーン変化点の情報およびシーン識別子の情報を含む）とを読み出し、ノーマル速度再生を開始する（ステップＳ４４）。
【０１５２】
システムコントローラ部２０は、このノーマル速度での再生中は、早送り再生開始操作がなされたか否か監視し（ステップＳ４５）、早送り再生開始操作がなされたと判別したときには、読み出し制御部８、再生処理部９、再生デコード処理部１０などを制御して、その時点から早送り再生を実行する（ステップＳ４６）。そして、次に、システムコントローラ部２０は、早送り再生終了操作を監視し（ステップＳ４７）、早送り再生終了操作がなされたことを判別するまで、ステップＳ４６の早送り再生の実行を継続する。
【０１５３】
そして、ステップＳ４７で、早送り再生終了操作がなされたと判別すると、システムコントローラ部２０は、読み出し制御部８、再生処理部９、再生デコード処理部１０などを制御して、その時点からノーマル速度再生に戻す（ステップＳ４８）。
【０１５４】
そして、システムコントローラ部２０は、記録媒体から読み出された付加情報ファイルから早送り再生されたシーンのシーン識別子の情報を取得して、ユーザ評価値生成部１７にそれらの情報を渡す（ステップＳ４９）。
【０１５５】
そして、システムコントローラ部２０は、ユーザ評価値生成部１７に、早送り再生された各シーンについてのユーザ評価値の生成および生成されたユーザ評価値の累積蓄積処理を指示する。この指示を受けたユーザ評価値生成部１７では、例えば前述した図６の例のように早送り再生に割り当てられたユーザ評価値を求め、求めたユーザ評価値を、ユーザ評価値累積蓄積部１８の、当該早送り再生されたシーンに付与されているシーン識別子に対応して記憶されているユーザ評価値に加算して、更新されたユーザ評価値を生成する（ステップＳ５０）。
【０１５６】
そして、システムコントローラ部２０は、ユーザ評価値生成部１７で生成された更新したユーザ評価値を、ユーザ評価値累積蓄積部１７の、早送り再生されたシーンと同じシーン識別子に対応するユーザ評価値として上書きし、ユーザ評価値累積蓄積部１７のユーザ評価値を更新する（図１２のステップＳ６５）。
【０１５７】
その後、システムコントローラ部２０は、ユーザ操作入力として再生終了指示操作があったか否か判別し（ステップＳ６６）、再生終了指示操作がないと判別したときには、図１１のステップＳ６５に戻る。
【０１５８】
そして、ステップＳ６６で、再生終了指示操作があったと判別したときには、システムコントローラ部２０は、再生を終了させる処理（ステップＳ６７）をした後、図８のステップＳ１に戻り、このステップＳ１以降の処理を繰り返す。
【０１５９】
図１１のステップＳ４５で、早送り再生開始操作はなされていないと判別したときには、システムコントローラ部２０は、ユーザによりスキップ再生指示操作がなされたか否か判別する（図１２のステップＳ６１）。
【０１６０】
このステップＳ６１で、スキップ再生指示操作がなされたと判別したときには、システムコントローラ部２０は、指示された再生位置から所定時間分後の再生位置、例えば１５秒後の再生位置までをスキップしてノーマル速度再生を行なう（ステップＳ６２）。
【０１６１】
そして、システムコントローラ部２０は、記録媒体から読み出された付加情報ファイルからスキップ再生されたシーンのシーン識別子の情報を取得して、ユーザ評価値生成部１７にその情報を渡す（ステップＳ６３）。
【０１６２】
そして、システムコントローラ部２０は、ユーザ評価値生成部１７に、スキップ再生された各シーンについてのユーザ評価値の生成および生成されたユーザ評価値の累積蓄積処理を指示する。この指示を受けたユーザ評価値生成部１７では、例えば前述した図６の例のように、スキップ再生に割り当てられたユーザ評価値を求め、求めたユーザ評価値を、ユーザ評価値累積蓄積部１８の、当該スキップ再生されたシーンに付与されているシーン識別子に対応して記憶されているユーザ評価値に加算して、更新されたユーザ評価値を生成する（ステップＳ６４）。
【０１６３】
そして、システムコントローラ部２０は、ユーザ評価値生成部１７で生成された更新したユーザ評価値を、ユーザ評価値累積蓄積部１８の、早送り再生されたシーンと同じシーン識別子に対応するユーザ評価値として上書きし、ユーザ評価値累積蓄積部１８のユーザ評価値を更新する（ステップＳ６５）。
【０１６４】
その後、システムコントローラ部２０は、ユーザ操作入力として再生終了指示操作があったか否か判別し（ステップＳ６６）、再生終了指示操作がないと判別したときには、図１１のステップＳ４５に戻る。
【０１６５】
そして、ステップＳ６６で、再生終了指示操作があったと判別したときには、システムコントローラ部２０は、再生を終了させる処理（ステップＳ６７）をした後、図８のステップＳ１に戻り、このステップＳ１以降の処理を繰り返す。
【０１６６】
また、ステップＳ６１で、スキップ再生指示操作もなされていないと判別したときには、システムコントローラ部２０では、記録媒体から読み出された付加情報ファイルからスキップ再生されたシーンのシーン識別子の情報を取得して、ユーザ評価値生成部１７にその情報を渡す（ステップＳ６８）。
【０１６７】
そして、システムコントローラ部２０は、ユーザ評価値生成部１７に、ノーマル速度再生された各シーンについてのユーザ評価値の生成および生成されたユーザ評価値の累積蓄積処理を指示する。この指示を受けたユーザ評価値生成部１７では、例えば前述した図６の例のように、ノーマル速度再生に割り当てられたユーザ評価値を求め、求めたユーザ評価値を、ユーザ評価値累積蓄積部１８の、当該ノーマル速度再生されたシーンに付与されているシーン識別子に対応して記憶されているユーザ評価値に加算して、更新されたユーザ評価値を生成する（ステップＳ６９）。
【０１６８】
そして、システムコントローラ部２０は、ユーザ評価値生成部１７で生成された更新したユーザ評価値を、ユーザ評価値累積蓄積部１８の、早送り再生されたシーンと同じシーン識別子に対応するユーザ評価値として上書きし、ユーザ評価値累積蓄積部１８のユーザ評価値を更新する（ステップＳ７０）。
【０１６９】
その後、システムコントローラ部２０は、ユーザ操作入力として再生終了指示操作があったか否か判別し（ステップＳ６６）、再生終了指示操作がないと判別したときには、図１１のステップＳ４５に戻る。
【０１７０】
以上のようにして、この実施形態によれば、再生をするごとに、記録された放送番組の情報の各シーンと同一のシーンについてのユーザ評価値が、そのシーン識別子に対応して累積加算されて、ユーザ評価累積蓄積部１８に蓄積されるものである。
【０１７１】
一方、図１１のステップＳ４１で、ユーザ評価反映再生開始指示がなされたと判別したときには、システムコントローラ部２０は、記録媒体５または７から放送番組の記録データと付加情報ファイルとを読み出すと共に、ユーザ評価値累積蓄積部１８において各シーンのシーン識別子に対応して記憶されているユーザ評価値に基づいて再生制御を行なうユーザ評価反映再生処理を行なう（ステップＳ５１）。なお、このユーザ評価反映再生モードにおいては、上述したように、この例では、ユーザ評価値の更新はなされない。
【０１７２】
図１３に、このユーザ評価反映再生処理の一例のフローチャートを示す。このユーザ評価反映再生処理においては、システムコントローラ部２０は、記録媒体から付加情報ファイルのシーン変化点の情報および各シーンのシーン識別子を先読みし、当該先読みしたシーン識別子で表わされるシーンのユーザ評価値を、ユーザ評価値累積蓄積部１８から読み出し、その読み出したユーザ評価値に応じた再生をするように、読み出し制御部８、再生処理部９、再生デコード出力部１０を制御するようにする。
【０１７３】
すなわち、システムコントローラ部２０は、先ず、記録媒体５または７から再生対象の放送番組の記録データに対応する付加情報ファイルを読み出して付加情報ファイル処理部１６に一時保持する。そして、最初のシーン変化点の区間および当該区間に対応するシーンのシーン識別子を先読みする（ステップＳ８１）。
【０１７４】
そして、システムコントローラ部２０は、この例においては、ユーザ評価値累積蓄積部１８から、先読みしたシーン識別子で示されるシーンのユーザ評価値を読み出し（ステップＳ８２）、当該ユーザ評価値は負の値であるか否か判別する（ステップＳ８３）。そして、読み出したユーザ評価値が負であると判別したときには、当該シーンの区間は、この例では、スキップするように制御する（ステップＳ８４）。ステップＳ８４では、スキップ再生させる代わりに、早送り再生させるように制御してもよい。
【０１７５】
また、ステップＳ８３で、読み出されたユーザ評価値は正であると判別したときには、当該シーンの区間の記録データを記録媒体５または７から読み出して、ノーマル速度再生するように制御する（ステップＳ８５）。
【０１７６】
ステップＳ８４またはステップＳ８５の次には、ステップＳ８６に進み、システムコントローラ部２０は、再生終了指示があったか否か判別する。そして、再生終了指示がなかったと判別したときには、付加情報ファイルから次のシーンの変化点の区間およびその区間（シーン）のシーン識別子を先読みし（ステップＳ８７）、ステップＳ８２に戻り、このステップＳ８２以降の処理を繰り返す。
【０１７７】
また、ステップＳ８６で、再生終了指示があったと判別したときには、図８のステップＳ１に戻り、このステップＳ１以降の処理を繰り返す。
【０１７８】
以上のように、この実施形態においては、記録された放送番組を再生して視聴したとき、当該再生時において早送り再生指示操作やスキップ再生指示操作などのユーザ操作があった区間（シーン）に対しては、各シーンに付与されたシーン識別子ごとに、再生視聴に対して負の方向のユーザ評価値を割り当てることにより、記録された放送番組の情報の各シーン（分節区間）に対応してユーザ評価値を記録するようにする。
【０１７９】
この場合、シーン識別子に対応してユーザ評価値を累積記録するので、異なる放送番組の記録データの再生時であって、シーン識別子が同じシーンについては、ユーザ評価値が累積加算されることになる。つまり、シーンにシーン識別子を付与し、そのシーン識別子ごとにユーザ評価値を累積加算することにより、ユーザが好むシーンと、再生を欲しないシーンとを、当該ユーザ評価値により判別することが可能である。
【０１８０】
そして、この実施形態においては、ユーザ評価反映再生モードでは、任意の放送番組を再生したときには、ユーザ評価値累積蓄積部１８のシーン識別子に対応するユーザ評価値に基づいて、負のユーザ評価値となっているシーンは、自動的に早送り再生またはスキップ再生される。
【０１８１】
したがって、この実施形態では、過去の放送番組についての各シーンについてのユーザ評価に基づいて再生制御がなされるようにされるので、新たに記録し再生した放送番組についても、過去の番組中のシーンと同じシーンについては、前記過去の番組についての累積ユーザ評価値が用いられて再生制御がなされる。
【０１８２】
すなわち、この実施形態によれば、当該再生対象の放送番組については、１回も再生がなされていなくても、過去の再生において、いつも早送り再生指示操作したり、スキップ再生指示操作したりしていたシーンと同一のシーンについては、ユーザが当該操作指示をしなくても、自動的に早送り再生またはスキップ再生される。
【０１８３】
例えば、特定のコマーシャルはいつも早送り再生やスキップ再生しているときには、そのコマーシャルは、後の時点で記録した放送番組についても記録されているときには、何の操作をしなくても、自動的に早送り再生あるいはスキップ再生される。
【０１８４】
また、例えば毎週、あるいは、毎日、放送される放送番組を録画して、再生して視聴するような使用態様において、ユーザが、初回や早い回の当該放送番組の再生時に、番組オープニングや、番組エンディングのシーンは、早送り再生操作したり、スキップ再生指示操作したりすると、そのユーザ操作に応じたユーザ評価値が、ユーザ評価値累積蓄積部１８に蓄積されるので、その後の回の放送番組の再生時には、早送り再生指示操作やスキップ再生指示操作をユーザが行なわなくても、ユーザ評価反映再生を行なうことにより、当該番組オープニングや番組エンディングのシーンは、自動的に早送り再生あるいはスキップ再生され、非常に便利である。
【０１８５】
なお、この実施形態においても、ユーザ評価反映再生モードにおいては、ユーザ評価値の更新は行なわないようにしたが、ユーザ評価反映再生モードが選択されたことも、ユーザ操作に基づくユーザ評価であることを考え合わせると、このユーザ評価反映再生モードにおける各シーンについての再生態様を、ユーザ操作に基づくものとして、前述した図６のようなユーザ評価値を、当該各シーンの再生態様に割り当てて、ユーザ評価値累積蓄積部１８に累積蓄積されて、ユーザ評価値の更新を行なうようにしてもよい。
【０１８６】
また、このユーザ評価反映再生モードにおいても、早送り再生指示操作やスキップ再生指示操作を可能として、ノーマル速度再生区間であるシーンの再生時に、当該早送り再生指示操作やスキップ再生指示操作があったときに、その操作に応じて、その操作があったシーンのユーザ評価値を更新するようにしても、勿論よい。
【０１８７】
また、この実施形態においても、シーン変化点が検出されて付加情報ファイルに記録されている。したがって、この実施形態においては、再生して視聴したいシーンのシーン変化点のリスト（いわゆるプレイリスト）を作り、記録再生装置に対して、そのリストに基づいたいわゆるダイジェスト再生の指示操作をすることができ、このダイジェスト再生指示も、ユーザ操作であるので、ダイジェスト再生指示操作に応じて、ダイジェスト再生が実行されたときには、各シーンの再生態様に応じたユーザ評価値により、ユーザ評価値を更新して、ユーザ評価値累積蓄積部１８に記憶することができる。
【０１８８】
また、上述の実施形態の説明では、再生しようとするシーンのユーザ評価値が正であるか負であるかを判別し、負であるときに、当該シーンの区間をスキップあるいは早送り再生するように再生制御するようにしたが、各シーンの累積ユーザ評価値が、予め定めた所定のしきい値を負の方向に超えたときに、当該シーンの区間をスキップあるいは早送り再生するように再生制御するようにしてもよい。しきい値は、ユーザが変更設定することができるようにしても良い。
【０１８９】
図１４に、この例の場合のユーザ評価反映再生モードにおける再生処理のフローチャートの一例を示す。
【０１９０】
すなわち、システムコントローラ部２０は、先ず、記録媒体５または７から再生対象の記録データに対応する付加情報ファイルを読み出して付加情報ファイル処理部１６に一時保持する。そして、最初のシーン変化点の区間および当該区間に対応するシーンのシーン識別子を先読みする（ステップＳ９１）。
【０１９１】
そして、システムコントローラ部２０は、この例においては、ユーザ評価値累積蓄積部１８から、先読みしたシーン識別子で示されるシーンのユーザ評価値を読み出し（ステップＳ９２）、当該ユーザ評価値が、予め定められた固定のしきい値、あるいは、ユーザに設定されたしきい値よりも、より負の値であるか否か判別する（ステップＳ９３）。そして、読み出したユーザ評価値が、しきい値よりも、より負の値であると判別したときには、当該シーンの区間は、この例では、スキップするように制御する（ステップＳ９４）。ステップＳ９４では、スキップ再生させる代わりに、早送り再生させるように制御してもよい。
【０１９２】
また、ステップＳ９３で、読み出されたユーザ評価値は、しきい値よりも、より負の値ではないと判別したときには、当該シーンの区間の記録データを記録媒体５または７から読み出して、ノーマル速度再生するように制御する（ステップＳ９５）。
【０１９３】
ステップＳ９４またはステップＳ９５の次には、ステップＳ９６に進み、システムコントローラ部２０は、再生終了指示があったか否か判別する。そして、再生終了指示がなかったと判別したときには、付加情報ファイルから次のシーンの変化点の区間およびその区間（シーン）のシーン識別子を先読みし（ステップＳ９７）、ステップＳ９２に戻り、このステップＳ９２以降の処理を繰り返す。
【０１９４】
また、ステップＳ９６で、再生終了指示があったと判別したときには、図８のステップＳ１に戻り、このステップＳ１以降の処理を繰り返す。
【０１９５】
これにより、ユーザ評価値の累積値が負の値であっても、しきい値よりも、より負の方向のユーザ評価値でない、負の方向のユーザ評価が、中途半端なシーンについては、スキップあるいは早送り再生されないようにすることができる。換言すれば、しきい値よりも、より負の方向のユーザ評価値となるユーザが再生を望まないシーンだけを、スキップあるいは早送り再生するようにすることができる。
【０１９６】
［シーン識別子付与ルーチンの第２の例］
以上の説明における図１０のシーン識別子付与ルーチンでは、ＣＭ区間が複数のシーンを含む場合には、それら複数のシーンのシーン識別子が、１つのＣＭ区間に割り当てられる。しかし、１つのＣＭ区間は１つのシーンとして取り扱えるようにした方が良い場合がある。図１５は、その場合におけるシーン識別子付与ルーチンの一例である。
【０１９７】
この図１５の例のシーン識別子付与ルーチンは、図１０のステップＳ３１およびステップＳ３２の代わりに、ステップＳ１０１〜ステップＳ１０４を設けたものに等しい。
【０１９８】
すなわち、システムコントローラ部２０は、最初のシーンのシーン変化点を指定して、シーン識別子生成部１４に対して、バッファメモリに保持されていた、そのシーン変化点の情報を渡す（ステップＳ１０１）。
【０１９９】
特徴量シーン識別子生成部１４は、そのシーン変化点の近傍の特徴量を取得し、そのシーン変化点がＣＭ区間の中に在るかどうか判別する（ステップＳ１０２）。そして、そのシーン変化点がＣＭ区間の中に在ると判別したときには、ＣＭ区間の開始点から終了点までの区間を検出し、その検出したＣＭ区間を１つのシーンとし（ステップＳ１０３）、そのシーンの特徴量を、シーン識別子付与区間の特徴量として取得する（ステップＳ１０４）。
【０２００】
また、ステップＳ１０２で、そのシーン変化点がＣＭ区間の中にはないと判別したときには、ステップＳ１０１で指定されたシーン変化点で定まるシーンの特徴量を取得する（ステップＳ１０４）。
【０２０１】
そして、ステップＳ１０４の後には、前述の図１０で説明したステップＳ３３に進み、システムコントローラ部２０は、前述したステップＳ３３以降の処理ステップを実行する。
【０２０２】
この図１５の例のシーン識別子付与ルーチンの第２の例によれば、ＣＭ区間のそれぞれには、１つのシーン識別子が付与されるので、ＣＭ区間と、本編情報などのその他のシーンとの区別が容易になる。
【０２０３】
［シーン識別子付与ルーチンの第３の例］
例えば同一の商品ＣＭとして、類似する複数個のバージョンを備えるものが、最近は、増えている。このような複数個のＣＭの場合においては、ＣＭ区間の先頭あるいは末尾のシーンに、対象製品そのもののシーンが挿入されることが多い。したがって、ＣＭ区間の先頭あるいは末尾のシーンが同一または近似するＣＭは、同種または同一のＣＭとして取り扱うことができれば便利である。
【０２０４】
このシーン識別子付与ルーチンの第３の例は、このような場合に対応することができるシーン識別子の付与例の一つである。この第３の例においては、図１６に示すように、シーン識別子は、図１０の例と同様に付与するが、付与したシーン識別子に加えて、ＣＭ区間であることを示すＣＭ区間フラグを記録するようにする。
【０２０５】
すなわち、図１６において、Ｓｃｍ１、Ｓｃｍ２、Ｓｃｍ３は、１つのＣＭ区間を構成する３個のシーンのシーン識別子を示しており、また、Ｓｃｍ１１、Ｓｃｍ１２、Ｓｃｍ１３は、１つのＣＭ区間を構成する３個のシーンのシーン識別子を示している。
【０２０６】
この第３の例においては、図１６に示すように、３個のシーンのシーン識別子Ｓｃｍ１、Ｓｃｍ２、Ｓｃｍ３および３個のシーンのシーン識別子Ｓｃｍ１１、Ｓｃｍ１２、Ｓｃｍ１３のそれぞれに対応して、ＣＭ区間フラグが付与されている。この場合、ＣＭ区間フラグは、シーン識別子のそれぞれに付加すれば良い。
【０２０７】
この第３の例の場合のシーン識別子付与ルーチンの一例のフローチャートを図１７に示す。
【０２０８】
先ず、システムコントローラ部２０は、最初のシーンのシーン変化点を指定して（ステップＳ１１１）、シーン識別子生成部１４に対して、バッファメモリに保持されていた、そのシーン変化点の情報と、そのシーン変化点の情報で特定されるシーン区間の特徴量を、渡す（ステップＳ１１２）。
【０２０９】
シーン識別子生成部１４は、取得したシーン区間の特徴量と、特徴量記憶部１５に記憶されている過去に付与されたシーン識別子についての特徴量とを比較する（ステップＳ１１３）。このとき、特徴量記憶部１５に記憶されている特徴量は、圧縮されているので、シーン識別子生成部１４は、圧縮を解凍して、取得したシーン区間の特徴量と比較する。
【０２１０】
そして、シーン識別子生成部１４は、取得したシーン区間の特徴量と、同一であると判定される特徴量が、特徴量記憶部１５に記憶されたものの中にあるか否か判別する（ステップＳ１１４）。
【０２１１】
ステップＳ１１４で、取得したシーン区間の特徴量と、同一であると判定される特徴量が、特徴量記憶部１５に記憶されたものの中にあると判別したときには、特徴量記憶部１５に記憶されている、同一であると判定された特徴量に付与されているシーン識別子を、当該取得したシーン区間に対して付与する（ステップＳ１１５）。
【０２１２】
また、ステップＳ１１４で、取得したシーン区間の特徴量と、同一であると判定される特徴量が、特徴量記憶部１５に記憶されたものの中には存在しないと判別したときには、新たなシーン識別子を、当該シーンに対して生成して付与し（ステップＳ１１６）、当該生成付与した新たなシーン識別子と、そのシーン区間の特徴量とを、特徴量記憶部１５に記憶する（ステップＳ１１７）。また、この例では、このステップＳ１１７においては、ユーザ評価値累積蓄積部１８に、当該新たなシーン識別子と、そのユーザ評価値の初期値（例えば「０」）とが、追加記録される。
【０２１３】
そして、ステップＳ１１５またはステップＳ１１７の次には、システムコントローラ部２０は、ステップＳ１１８に進んで、シーン識別子を付与したシーンがＣＭ区間内のシーンか否かを判別する。そして、このステップＳ１１８で、シーンがＣＭ区間内のものであると判別したときには、シーン識別子生成部１４は、付与したシーン識別子に対応付けて、ＣＭ区間フラグを立てる（ステップＳ１１９）。
【０２１４】
そして、記録された放送番組の最後のシーンまでについてのシーン識別子の生成処理が終了したか否か判別し（ステップＳ１２０）、終了してはいないと判別したときには、次のシーンのシーン変化点を指定し（ステップＳ１２１）、ステップＳ１１２に戻って、このステップＳ１１２以降の処理を繰り返す。
【０２１５】
また、ステップＳ１１８で、シーンがＣＭ区間内のものではないと判別したときには、当該シーンにはＣＭ区間フラグは立てずに、ステップＳ１２０に進み、記録された放送番組の最後のシーンまでについてのシーン識別子の生成処理が終了したか否か判別し、終了してはいないと判別したときには、次のシーンのシーン変化点を指定し（ステップＳ１２１）、ステップＳ１１２に戻って、このステップＳ１１２以降の処理を繰り返す。
【０２１６】
記録された放送番組の最後のシーンまでについてのシーン識別子の生成処理が終了したと判別したときには、このシーン識別子の生成付与処理ルーチンを終了し、図９の記録処理ルーチンに戻る。システムコントローラ部２０は、前述したように、このシーン識別子の生成付与処理ルーチンが終了すると、図４に示したような、シーン変化点と、当該シーン変化点で特定される各シーンのシーン識別子と、ＣＭ区間フラグとを対応付けたデータを、付加情報ファイルとして、対応する放送番組の記録データに対応付けて記録する。
【０２１７】
この第３の例の場合におけるユーザ評価反映再生モードの処理を、図１８および図１９のフローチャートを参照して説明する。
【０２１８】
すなわち、システムコントローラ部２０は、先ず、記録媒体５または７から再生対象の放送番組の記録データに対応する付加情報ファイルを読み出して付加情報ファイル処理部１６に一時保持する。そして、最初のシーン変化点の区間および当該区間に対応するシーンのシーン識別子、ＣＭ区間フラグを先読みする（ステップＳ１３１）。
【０２１９】
そして、システムコントローラ部２０は、この例においては、ＣＭ区間のシーンであるか否かを、ＣＭ区間フラグを参照して判別する（ステップＳ１３２）。
【０２２０】
このステップＳ１３２で、ＣＭ区間のシーンではないと判別したときには、システムコントローラ部２０は、この例においては、ユーザ評価値累積蓄積部１８から、先読みしたシーン識別子で示されるシーンのユーザ評価値を読み出し（ステップＳ１３３）、この例では、当該ユーザ評価値は、所定のしきい値よりも、より負の値であるか否か判別する（ステップＳ１３４）。
【０２２１】
そして、読み出したユーザ評価値が、所定のしきい値よりも、より負の値であると判別したときには、当該シーンの区間は、この例では、スキップするように制御する（ステップＳ１３５）。ステップＳ１３５では、スキップ再生させる代わりに、早送り再生させるように制御してもよい。
【０２２２】
また、ステップＳ１３４で、読み出されたユーザ評価値は、しきい値よりも、より負の値ではないと判別したときには、当該シーンの区間の記録データを記録媒体５または７から読み出して、ノーマル速度再生するように制御する（ステップＳ１３６）。
【０２２３】
ステップＳ１３５またはステップＳ１３６の次には、ステップＳ１３７に進み、システムコントローラ部２０は、再生終了指示があったか否か判別する。そして、再生終了指示がなかったと判別したときには、付加情報ファイルから次のシーンの変化点の区間およびその区間（シーン）のシーン識別子を先読みし（ステップＳ１３８）、ステップＳ１３２に戻り、このステップＳ１３２以降の処理を繰り返す。
【０２２４】
また、ステップＳ１３７で、再生終了指示があったと判別したときには、図８のステップＳ１に戻り、このステップＳ１以降の処理を繰り返す。
【０２２５】
また、ステップＳ１３２で、先読みしたシーンがＣＭ区間内のシーンであると判別したときには、ＣＭ区間フラグを参照して、当該ＣＭ区間の先頭と末尾のシーン識別子を取得する（図１９のステップＳ１４１）。そして、そのＣＭ区間の先頭と末尾のシーン識別子を用いて、ユーザ評価値累積蓄積部１８から、当該シーン識別子で示されるシーンのユーザ評価値を読み出す（ステップＳ１４２）。
【０２２６】
そして、この例では、そのＣＭ区間の先頭のシーンのユーザ評価値または末尾のシーンのユーザ評価値のいずれかが、所定のしきい値よりも、より負の値であるか否か判別する（ステップＳ１４３）。
【０２２７】
そして、読み出したユーザ評価値のいずれかが、所定のしきい値よりも、より負の値であると判別したときには、当該シーンを含むＣＭ区間全体を、この例では、スキップするように制御する（ステップＳ１４４）。ステップＳ１４４では、スキップ再生させる代わりに、早送り再生させるように制御してもよい。
【０２２８】
また、ステップＳ１４３で、読み出されたユーザ評価値のいずれも、しきい値よりも、より負の値ではないと判別したときには、当該シーンを含むＣＭ区間全体の記録データを記録媒体５または７から読み出して、ノーマル速度再生するように制御する（ステップＳ１４５）。
【０２２９】
ステップＳ１４４またはステップＳ１４５の次には、ステップＳ１４６に進み、システムコントローラ部２０は、再生終了指示があったか否か判別する。そして、再生終了指示がなかったと判別したときには、付加情報ファイルから、当該ＣＭ区間の次のシーンの変化点の区間およびその区間（シーン）のシーン識別子を先読みし（ステップＳ１４７）、ステップＳ１３２に戻り、このステップＳ１３２以降の処理を繰り返す。
【０２３０】
また、ステップＳ１４６で、再生終了指示があったと判別したときには、図８のステップＳ１に戻り、このステップＳ１以降の処理を繰り返す。
【０２３１】
［シーン識別子付与ルーチンの第４の例］
このシーン識別子付与ルーチンの第４の例は、第３の例の場合と同様に、ＣＭ区間の先頭あるいは末尾のシーンが同一または近似するＣＭは、同種または同一のＣＭとして取り扱うようにする場合の変形例である。
【０２３２】
この第４の例においては、ＣＭ区間フラグをＣＭ区間のシーンのシーン識別子に対応して記録するのではなく、ＣＭ区間の先頭のシーンのシーン識別子には、先頭のシーンであることを示す情報を付加記録し、また、ＣＭ区間の末尾のシーンのシーン識別子には、末尾のシーンであることを示す情報を付加記録するようにする。
【０２３３】
すなわち、図２０において、Ｓｃｍ１、Ｓｃｍ２、Ｓｃｍ３は、１つのＣＭ区間を構成する３個のシーンのシーン識別子を示しており、また、Ｓｃｍ１１、Ｓｃｍ１２、Ｓｃｍ１３は、他の１つのＣＭ区間を構成する他の３個のシーンのシーン識別子を示している。
【０２３４】
この第４の例においては、ＣＭ区間の先頭のシーンのシーン識別子Ｓｃｍ１、Ｓｃｍ１１には、図２０では、「ＴＯＰ」で示すように、先頭のシーンであることを示す情報（ＣＭ先頭シーン識別子）を付加記録する。また、ＣＭ区間の末尾のシーンのシーン識別子Ｓｃｍ３、Ｓｃｍ１３には、図２０では、「ＥＮＤ」で示すように、末尾のシーンであることを示す情報（ＣＭ末尾シーン識別子）を付加記録する。
【０２３５】
この第４の例の場合のシーン識別子付与ルーチンの一例のフローチャートを図２１に示す。
【０２３６】
先ず、システムコントローラ部２０は、最初のシーンのシーン変化点を指定して（ステップＳ１５１）、シーン識別子生成部１４に対して、バッファメモリに保持されていた、そのシーン変化点の情報と、そのシーン変化点の情報で特定されるシーン区間の特徴量を、渡す（ステップＳ１５２）。
【０２３７】
シーン識別子生成部１４は、取得したシーン区間の特徴量と、特徴量記憶部１５に記憶されている過去に付与されたシーン識別子についての特徴量とを比較する（ステップＳ１５３）。このとき、特徴量記憶部１５に記憶されている特徴量は、圧縮されているので、シーン識別子生成部１４は、圧縮を解凍して、取得したシーン区間の特徴量と比較する。
【０２３８】
そして、シーン識別子生成部１４は、取得したシーン区間の特徴量と、同一であると判定される特徴量が、特徴量記憶部１５に記憶されたものの中にあるか否か判別する（ステップＳ１５４）。
【０２３９】
ステップＳ１５４で、取得したシーン区間の特徴量と、同一であると判定される特徴量が、特徴量記憶部１５に記憶されたものの中にあると判別したときには、特徴量記憶部１５に記憶されている、同一であると判定された特徴量に付与されているシーン識別子を、当該取得したシーン区間に対して付与する（ステップＳ１５５）。
【０２４０】
また、ステップＳ１５４で、取得したシーン区間の特徴量と、同一であると判定される特徴量が、特徴量記憶部１５に記憶されたものの中には存在しないと判別したときには、新たなシーン識別子を、当該シーンに対して生成して付与し（ステップＳ１５６）、当該生成付与した新たなシーン識別子と、そのシーン区間の特徴量とを、特徴量記憶部１５に記憶する（ステップＳ１５７）。また、この例では、このステップＳ１５７においては、ユーザ評価値累積蓄積部１８に、当該新たなシーン識別子と、そのユーザ評価値の初期値（例えば「０」）とが、追加記録される。
【０２４１】
そして、ステップＳ１５５またはステップＳ１５７の次には、システムコントローラ部２０は、ステップＳ１５８に進んで、シーン識別子を付与したシーンがＣＭ区間内の先頭シーンまたは末尾シーンか否かを判別する。そして、このステップＳ１５８で、シーンがＣＭ区間内の先頭シーンまたは末尾シーンであると判別したときには、シーン識別子生成部１４は、付与したシーン識別子に対応付けて、ＣＭ先頭シーン識別子またはＣＭ末尾シーン識別子を付加する（ステップＳ１５９）。
【０２４２】
そして、記録された放送番組の最後のシーンまでについてのシーン識別子の生成処理が終了したか否か判別し（ステップＳ１６０）、終了してはいないと判別したときには、次のシーンのシーン変化点を指定し（ステップＳ１６１）、ステップＳ１５２に戻って、このステップＳ１５２以降の処理を繰り返す。
【０２４３】
また、ステップＳ１５８で、シーンがＣＭ区間内の先頭シーンまたは末尾シーンではないと判別したときには、当該シーンにはＣＭ先頭シーン識別子またはＣＭ末尾シーン識別子は付加せずに、ステップＳ１６０に進み、記録された放送番組の最後のシーンまでについてのシーン識別子の生成処理が終了したか否か判別し、終了してはいないと判別したときには、次のシーンのシーン変化点を指定し（ステップＳ１６１）、ステップＳ１５２に戻って、このステップＳ１５２以降の処理を繰り返す。
【０２４４】
記録された放送番組の最後のシーンまでについてのシーン識別子の生成処理が終了したと判別したときには、このシーン識別子の生成付与処理ルーチンを終了し、図９の記録処理ルーチンに戻る。
【０２４５】
この第４の例の場合におけるユーザ評価反映再生モードの処理を、図２２および図２３のフローチャートを参照して説明する。
【０２４６】
すなわち、システムコントローラ部２０は、先ず、記録媒体５または７から再生対象の放送番組の記録データに対応する付加情報ファイルを読み出して付加情報ファイル処理部１６に一時保持する。そして、最初のシーン変化点の区間および当該区間に対応するシーンのシーン識別子、ＣＭ先頭シーン識別子、ＣＭ末尾シーン識別子を先読みする（ステップＳ１７１）。
【０２４７】
そして、システムコントローラ部２０は、この例においては、ＣＭ区間の先頭シーンであるか否かを、ＣＭ先頭シーン識別子を参照して判別する（ステップＳ１７２）。
【０２４８】
このステップＳ１７２で、ＣＭ区間の先頭シーンではないと判別したときには、システムコントローラ部２０は、この例においては、ユーザ評価値累積蓄積部１８から、先読みしたシーン識別子で示されるシーンのユーザ評価値を読み出し（ステップＳ１７３）、この例では、当該ユーザ評価値は、所定のしきい値よりも、より負の値であるか否か判別する（ステップＳ１７４）。
【０２４９】
そして、読み出したユーザ評価値が、所定のしきい値よりも、より負の値であると判別したときには、当該シーンの区間は、この例では、スキップするように制御する（ステップＳ１７５）。ステップＳ１７５では、スキップ再生させる代わりに、早送り再生させるように制御してもよい。
【０２５０】
また、ステップＳ１７４で、読み出されたユーザ評価値は、しきい値よりも、より負の値ではないと判別したときには、当該シーンの区間の記録データを記録媒体５または７から読み出して、ノーマル速度再生するように制御する（ステップＳ１７６）。
【０２５１】
ステップＳ１７５またはステップＳ１７６の次には、ステップＳ１７７に進み、システムコントローラ部２０は、再生終了指示があったか否か判別する。そして、再生終了指示がなかったと判別したときには、付加情報ファイルから次のシーンの変化点の区間およびその区間（シーン）のシーン識別子を先読みし（ステップＳ１７８）、ステップＳ１７２に戻り、このステップＳ１７２以降の処理を繰り返す。
【０２５２】
また、ステップＳ１７７で、再生終了指示があったと判別したときには、図８のステップＳ１に戻り、このステップＳ１以降の処理を繰り返す。
【０２５３】
また、ステップＳ１７２で、先読みしたシーンがＣＭ区間内の先頭シーンであると判別したときには、当該ＣＭ区間の末尾のシーンのＣＭ末尾シーン識別子を先読みして記録媒体から取得する（図２３のステップＳ１８１）。そして、そのＣＭ区間の先頭と末尾のシーン識別子を用いて、ユーザ評価値累積蓄積部１８から、当該シーン識別子で示されるシーンのユーザ評価値を読み出す（ステップＳ１８２）。
【０２５４】
そして、この例では、そのＣＭ区間の先頭シーンのユーザ評価値または末尾シーンのユーザ評価値のいずれかが、所定のしきい値よりも、より負の値であるか否か判別する（ステップＳ１８３）。
【０２５５】
そして、読み出したユーザ評価値のいずれかが、所定のしきい値よりも、より負の値であると判別したときには、当該シーンを含むＣＭ区間全体を、この例では、スキップするように制御する（ステップＳ１８４）。ステップＳ１８４では、スキップ再生させる代わりに、早送り再生させるように制御してもよい。
【０２５６】
また、ステップＳ１８３で、読み出されたユーザ評価値のいずれも、しきい値よりも、より負の値ではないと判別したときには、当該シーンを含むＣＭ区間全体の記録データを記録媒体５または７から読み出して、ノーマル速度再生するように制御する（ステップＳ１８５）。
【０２５７】
ステップＳ１８４またはステップＳ１８５の次には、ステップＳ１８６に進み、システムコントローラ部２０は、再生終了指示があったか否か判別する。そして、再生終了指示がなかったと判別したときには、付加情報ファイルから、当該ＣＭ区間の次のシーンの変化点の区間およびその区間（シーン）のシーン識別子を先読みし（ステップＳ１８７）、ステップＳ１７２に戻り、このステップＳ１７２以降の処理を繰り返す。
【０２５８】
また、ステップＳ１８６で、再生終了指示があったと判別したときには、図８のステップＳ１に戻り、このステップＳ１以降の処理を繰り返す。
【０２５９】
［シーン識別子を用いたアプリケーション処理の他の例］
＜ロールバック期間についての処理の第１の例＞
テレビ放送番組の中には、ＣＭ区間の後に、ＣＭ区間の前のシーンを繰り返すようにする、いわゆるロールバックを行なうものがある。このようなテレビ放送番組を記録し、再生するとき、例えばＣＭ区間のみをスキップすると、同じシーンを２回、連続して視聴する状態になり、不自然になる。
【０２６０】
この例では、再生時に、このようなロールバックのシーンを含む場面においては、ＣＭ区間と、そのＣＭ区間の直前または直後のシーン内容が重複する区間の一方とを併せてスキップすることにより、上記のような不自然な再生状態にならないようにする。
【０２６１】
この第１の例においては、再生時にロールバックのシーンを含む場面を検出して、ＣＭ区間と、その直前または直後のシーン内容が重複する区間の一方とを併せてスキップする処理を実行するようにする。
【０２６２】
この例の場合、記録媒体に記録される情報信号と対応付けられて記録される付加情報ファイルには、シーン識別子に加えて、ＣＭ区間フラグが記録されているものとする。この場合、図２４（Ａ）に示すように、ＣＭ区間は、複数のシーンからなる場合があり、それら複数のシーンに対してＣＭ区間フラグが付加されている場合と、図２４（Ｂ）に示すように、ＣＭ区間は、それ自体で1シーンとしてシーン識別子が付与され、そのＣＭ区間のシーン識別子にＣＭ区間フラグが付加される場合の２通り考えられるが、この例は、いずれの場合にも適用可能である。
【０２６３】
図２４（Ａ）および（Ｂ）の例では、ＣＭ区間の直前のシーンＳ１，Ｓ２，Ｓ３と、ＣＭ区間の直後のシーンＳ１´，Ｓ２´，Ｓ３´とが、同一または近似しているシーンとされて、ロールバックが行なわれている。
【０２６４】
この例では、記録再生装置は、ロールバック除去再生モードを備え、そのモードがユーザにより指定されたときには、システムコントローラ部２０は、記録媒体から、付加情報ファイルを先読みし、ＣＭ区間フラグを検出したとき、その前後の複数シーンのシーン識別子を比較して、同一または近似していることを判別したときには、ＣＭ区間とその直後の重複シーンの区間（図２４の区間Ａ）、または、ＣＭ区間とその直前の重複シーンの区間（図２４の区間Ｂ）のいずれかをスキップ区間とする。
【０２６５】
なお、ＣＭ区間の直後には、放送局ロゴやコンテンツタイトルのロゴが再度含まれるので、シーンの自然なつながりを考慮すると、区間Ａと、区間Ｂのうち、スキップするのは、区間Ａの方がよい。
【０２６６】
図２５に、このロールバック除去再生モードを実現するための処理ルーチンのフローチャートの例を示す。
【０２６７】
すなわち、システムコントローラ部２０は、先ず、記録媒体５または７から再生対象の放送番組の記録データに対応する付加情報ファイルを読み出して付加情報ファイル処理部１６に一時保持する。そして、最初のシーン変化点の区間および当該区間に対応するシーンのシーン識別子、ＣＭ区間フラグを先読みする（ステップＳ１９１）。
【０２６８】
そして、システムコントローラ部２０は、この例においては、ＣＭ区間のシーンであるか否かを、ＣＭ区間フラグを参照して判別する（ステップＳ１９２）。
【０２６９】
このステップＳ１９２で、ＣＭ区間のシーンではないと判別したときには、システムコントローラ部２０は、この例においては、当該シーンをノーマル速度再生する（ステップＳ１９３）。
【０２７０】
そして、システムコントローラ部２０は、再生終了指示があったか否か判別し（ステップＳ１９４）、再生終了指示がなかったと判別したときには、付加情報ファイルから次のシーンの変化点の区間およびその区間（シーン）のシーン識別子並びにＣＭ区間フラグを先読みし（ステップＳ１９５）、ステップＳ１９２に戻り、このステップＳ１９２以降の処理を繰り返す。
【０２７１】
また、ステップＳ１９４で、再生終了指示があったと判別したときには、再生終了処理をし（ステップＳ１９６）、その後、図８のステップＳ１に戻り、このステップＳ１以降の処理を繰り返す。
【０２７２】
また、ステップＳ１９２で、先読みしたシーンがＣＭ区間内のシーンであると判別したときには、システムコントローラ部２０は、そのＣＭ区間の直後のシーンＳａ（図２４（Ａ）の例では、Ｓａ＝Ｓ１´）のシーン識別子を読み出して取得する（ステップＳ１９７）。
【０２７３】
次に、システムコントローラ部２０は、そのＣＭ区間よりも前の時点に、シーンＳａのシーン識別子と同一（または近似）のシーン識別子のシーンがあるかどうかを、時間軸を逆方向に検索する（ステップＳ１９８）。そして、その検索の結果、シーンＳａのシーン識別子と同一（または近似）のシーン識別子のシーンＳｂを発見したか否かを判別する（ステップＳ１９９）。
【０２７４】
このステップＳ１９９で、シーンＳａのシーン識別子と同一（または近似）のシーン識別子のシーンＳｂを発見しなかったと判別したときには、システムコントローラ部２０は、ステップＳ１９３に進んで、この場合には、当該シーンを含むＣＭ区間についてノーマル速度再生するようにする。また、ステップＳ１９５では、このときには、ＣＭ区間の後のシーンのシーン変化点およびシーン識別子を先読みする。
【０２７５】
このステップＳ１９９で、シーンＳａのシーン識別子と同一（または近似）のシーン識別子のシーンＳｂ（図２４の例の場合には、Ｓｂ＝Ｓ１）を発見したと判別したときには、システムコントローラ部２０は、発見したシーンＳｂから、ＣＭ区間の直前までのシーン（図２４の例の場合には、Ｓ１，Ｓ２，Ｓ３）のシーン識別子を全て取得する（ステップＳ２００）。
【０２７６】
次に、システムコントローラ部２０は、当該ＣＭ区間の直後のシーンＳａに続くシーン（図２４の例の場合には、Ｓ１´，Ｓ２´，Ｓ３´）のシーン識別子と、ステップＳ２００で取得したシーン識別子とを比較し（ステップＳ２０１）、一致しているか否か判別する（ステップＳ２０２）。
【０２７７】
ステップＳ２０２で一致していないと判別したときには、システムコントローラ部２０は、ステップＳ１９３に進んで、この場合には、当該シーンを含むＣＭ区間についてノーマル速度再生するようにする。また、このときにも、ステップＳ１９５では、ＣＭ区間の後のシーンのシーン変化点およびシーン識別子を先読みする。
【０２７８】
ステップＳ２０２で一致していると判別したときには、システムコントローラ部２０は、ＣＭ区間と、その前の一致シーン区間とからなる区間（図２４の例の区間Ｂ）またはＣＭ区間と、その後の一致シーン区間とからなる区間（図２４の例の区間Ａ）のいずれかをスキップするように制御する（ステップＳ２０３）。この例では、図２４の例の区間Ａをスキップ区間とするように制御する。
【０２７９】
そして、システムコントローラ部２０は、再生終了指示があったか否か判別し（ステップＳ２０４）、再生終了指示がなかったと判別したときには、付加情報ファイルから、ＣＭ区間の次のシーンの変化点の区間およびその区間（シーン）のシーン識別子並びにＣＭ区間フラグを先読みし（ステップＳ２０５）、ステップＳ１９２に戻り、このステップＳ１９２以降の処理を繰り返す。
【０２８０】
また、ステップＳ２０４で、再生終了指示があったと判別したときには、再生終了処理をし（ステップＳ１９６）、その後、図８のステップＳ１に戻り、このステップＳ１以降の処理を繰り返す。
【０２８１】
なお、この例は、再生中に、付加情報ファイルを先読みして、ロールバックの場面を検出し、ＣＭ区間と、その前または後の重複するシーン区間のいずれかをスキップするようにしたが、テレビ放送番組の情報信号の記録時に、再生時にそのようにスキップするようにするためのロールバック用のスキップ区間マークを生成し、当該生成したマークを、付加情報ファイルに含めて、付加記録しておくこともできる。
【０２８２】
すなわち、例えば図９のステップＳ１９におけるシーン識別子の生成処理をした後に、図２５のステップＳ１９１、ステップＳ１９７〜２０２の処理を行ない、ステップＳ２０３の代わりに、図２４の区間Ａまたは区間Ｂの開始点および終了点を検出し、検出した開始点および終了点の情報を、ロールバック用のスキップ区間マークとして、付加情報ファイルに含めて記録するようにする。
【０２８３】
＜ロールバック期間についての処理の第２の例＞
上述の第１の例では、ＣＭ区間フラグを付加情報ファイルに含む場合の例であるが、第２の例は、付加情報ファイルにＣＭ区間フラグを含まず、付加情報ファイルがシーン変化点の情報とシーン識別子のみからなる場合の例である。つまり、シーンがＣＭであるか否かの識別情報を含まない場合である。
【０２８４】
この第２の例も、上述した第１の例と同様に、再生中に付加情報ファイルを先読みしながら、ロールバック区間を検出して、スキップ再生処理する場合と、記録時に、ロールバック用のスキップ区間を検出し、当該ロールバック用のスキップ区間にマークを付与し、当該付与したロールバック用のスキップ区間にマークを、付加情報ファイルに含めて記録する場合のいずれにも適用できる。
【０２８５】
以下の説明は、記録時に、ロールバック用のスキップ区間マークを、付加情報ファイルに含めて記録する場合の例である。この第２の例においては、毎シーンごとに、以下に説明するようなロールバック用のスキップ区間マークの生成処理を実行するようにする。
【０２８６】
図２６は、この第２の例を説明するための図である。この第２の例においては、ロールバックがなされるシーン区間よりも、若干、長い区間をロールバックの検索区間として予め設定しておく。
【０２８７】
そして、この検索区間の最後のシーン（図２６の例の場合にはシーンＳ４）において、この最後のシーンから、前記検索区間の中心が含まれる中心シーン（図２６の例の場合にはＳＣ）までの１〜複数のシーン（図２６の例の場合にはシーンＳ３´、Ｓ２´、Ｓ１´）のシーン識別子を取得する。次に、検索区間の中心が含まれる中心シーン（図２６の例の場合にはＳＣ）から、検索区間の最前のシーン（図２６の例の場合にはＳ０）までの１〜複数のシーン（図２６の例の場合にはシーンＳ３、Ｓ２、Ｓ１）を取得する。
【０２８８】
次に、取得した中心シーンの前後の１〜複数のシーンが等しいかどうか判別する。そして、等しい場合には、中心シーンとその直前の重複シーン区間（図２６の例では区間Ｂ）、または、中心シーンとその直後の重複シーン区間（図２６の例では区間Ａ）のいずれかをロールバック用のスキップ区間とし、その開始点および終了点に、ロールバック用のスキップ区間マークを付与し、それを付加情報ファイルに含めて記録するようにする。つまり、付加情報ファイルには、ロールバック用のスキップ区間マークとして、ロールバック用のスキップ区間の開始点および終了点の位置情報（例えばフィールド番号（またはフレーム番号））を記録するようにする。
【０２８９】
この第２の例の場合には、第１の例においては必要であった、「シーンがＣＭであるかどうかの判断」が不要になる反面、毎シーンごとに上述した処理が必要になる。
【０２９０】
この第２の例におけるロールバック用のスキップ区間マーク付け処理は、図２７に示すように、図１０に示したシーン識別子付与処理ルーチンにおいて、各シーンのシーン識別子の付与処理をした後であるステップＳ３５あるいはステップＳ３７の後において、ステップＳ２１０として行なわれる。
【０２９１】
このステップＳ２１０におけるシーン識別子付与処理ルーチンの例を、図２８のフローチャートを参照して説明する。
【０２９２】
すなわち、システムコントローラ部２０は、シーン識別子を付与した当該シーンを最後のシーン（図２６の例の場合であれば、シーンＳ４）とする所定長の検索区間を設定し、当該最後のシーンから、設定した検索区間の中央のシーンＳｃ（図２６の例の場合のシーンＳＣ）までの間のシーンのシーン識別子を全て取得する（図２６の例の場合であれば、シーンＳ３´、シーンＳ２´、シーンＳ１´のシーン識別子を取得する）（ステップＳ２１１）。
【０２９３】
次に、システムコントローラ部２０は、検索区間の中央のシーンＳｃから、検索区間の最前のシーンまでの間のシーンのシーン識別子を全て取得する（図２６の例の場合であれば、シーンＳ３、シーンＳ２、シーンＳ１のシーン識別子を取得する）（ステップＳ２１２）。
【０２９４】
次に、システムコントローラ部２０は、検索区間の中央のシーンＳｃから、検索区間の最前のシーンまでの間に、検索区間の直後のシーンＳａ（図２６の例の場合であれば、シーンＳ１´）のシーン識別子と同一（または近似）のシーン識別子のシーンがあるかどうかを、時間軸を逆方向に検索する（ステップＳ２１３）。そして、その検索の結果、シーンＳａのシーン識別子と同一（または近似）のシーン識別子のシーンＳｂを発見したか否かを判別する（ステップＳ２１４）。
【０２９５】
このステップＳ２１４で、シーンＳａのシーン識別子と同一（または近似）のシーン識別子のシーンＳｂを発見しなかったと判別したときには、システムコントローラ部２０は、この処理ルーチンを終了して、図１０のステップＳ３８に進む。
【０２９６】
また、ステップＳ２１４で、シーンＳａのシーン識別子と同一（または近似）のシーン識別子のシーンＳｂ（図２６の例の場合には、Ｓｂ＝Ｓ１）を発見したと判別したときには、システムコントローラ部２０は、発見したシーンＳｂから、中央のシーンＳｃの直前までのシーン（図２６の例の場合には、Ｓ１，Ｓ２，Ｓ３）のシーン識別子と、中央のシーンＳｃの直後のシーンＳａに続くシーン（図２６の例の場合には、Ｓ１´，Ｓ２´，Ｓ３´）のシーン識別子とを比較し（ステップＳ２１５）、一致しているか否か判別する（ステップＳ２１６）。
【０２９７】
ステップＳ２１６で一致していないと判別したときには、システムコントローラ部２０は、この処理ルーチンを終了して、図１０のステップＳ３８に進む。
【０２９８】
ステップＳ２１６で一致していると判別したときには、システムコントローラ部２０は、再生時に、スキップするロールバック用のスキップ区間の開始点と終了点とを、ロールバック用のスキップ区間マークとして、付加情報ファイルに書き込む（ステップＳ２１７）。そして、システムコントローラ部２０は、この処理ルーチンを終了して、図１０のステップＳ３８に進む。
【０２９９】
次に、この第２の例の場合における再生時のロールバック区間のスキップ処理について、図２９を参照しながら説明する。
【０３００】
すなわち、システムコントローラ部２０は、先ず、記録媒体５または７から再生対象の放送番組の記録データに対応する付加情報ファイルを読み出して付加情報ファイル処理部１６に一時保持する。そして、最初のシーン変化点の区間および当該区間に対応するシーンのシーン識別子、ロールバック用のスキップ区間マークを先読みする（ステップＳ２２１）。そして、ロールバック用のスキップ区間マークの有無をチェックする（ステップＳ２２２）。
【０３０１】
そして、システムコントローラ部２０は、ロールバック用のスキップ区間の開始点マークを検出したか否か判別し（ステップＳ２２３）、ロールバック用のスキップ区間の開始点マークを検出しなかったと判別したときには、当該シーンはノーマル再生する（ステップＳ２２４）。
【０３０２】
そして、システムコントローラ部２０は、再生終了指示があったか否か判別し（ステップＳ２２５）、再生終了指示があったと判別したときには、図８のステップＳ１に戻り、このステップＳ１以降の処理を繰り返す。
【０３０３】
また、ステップＳ２２５で、再生終了指示がなかったと判別したときには、システムコントローラ部２０は、付加情報ファイルから次のシーン変化点およびシーン識別子を先読みし（ステップＳ２２６）、その後、ステップＳ２２２に戻って、このステップＳ２２２以降の処理を繰り返す。
【０３０４】
また、ステップＳ２２３で、ロールバック用のスキップ区間の開始点マークを検出したと判別したときには、システムコントローラ部２０は、付加情報ファイルをさらに参照して、ロールバック用のスキップ区間の終了点マークを探し、ロールバック用のスキップ区間の開始点マークから終了点マークまでの区間を、スキップするようにする（ステップＳ２２７）。
【０３０５】
そして、システムコントローラ部２０は、再生終了指示があったか否か判別し（ステップＳ２２８）、再生終了指示があったと判別したときには、図８のステップＳ１に戻り、このステップＳ１以降の処理を繰り返す。
【０３０６】
また、ステップＳ２２８で、再生終了指示がなかったと判別したときには、システムコントローラ部２０は、付加情報ファイルからロールバック用のスキップ区間の終了点マークの後のシーン変化点およびシーン識別子を先読みし（ステップＳ２２９）、その後、ステップＳ２２２に戻って、このステップＳ２２２以降の処理を繰り返す。
【０３０７】
＜シーン識別子を用いた類似シーン検索処理の例＞
以上のように、この実施形態では、シーン毎にシーン区間内の特徴量を用いたシーン識別子を付与し、当該シーン識別子を、記録情報と共に、付加情報として記録媒体に記録するようにしている。
【０３０８】
そこで、記録媒体に記録されている所定の番組コンテンツの中の特定のシーンをユーザが指定することにより、同じまたは近似するシーンを含む他の番組コンテンツを検索することが可能である。
【０３０９】
例えば、毎日、あるいは毎週、あるいは毎月放送される番組コンテンツには、必ず同じあるいは近似するシーンが含まれている場合、そのシーンをユーザが指定することにより、当該番組コンテンツを検索して、例えば一覧表示することができる。
【０３１０】
このような検索機能が、図１の例の記録再生装置に搭載された場合における処理動作例を、図３０のフローチャートを参照して説明する。
【０３１１】
例えば、リモコン２２などの操作部に設けられた類似シーン検索キーをユーザが操作すると、システムコントローラ部２０は、図３０の処理ルーチンを起動し、検索するシーンの指定を促すメッセージを表示部２４に表示する（ステップＳ２３１）。
【０３１２】
ユーザは、このメッセージ表示を受けて、検索するシーンの指定をするので、システムコントローラ部２０は、当該ユーザによる検索するシーンの指定受付の完了を待つ（ステップＳ２３２）。
【０３１３】
そして、システムコントローラ部２０は、ステップＳ２３２で、検索するシーンの指定受付が完了したと判別したときには、指定された検索するシーンのシーン識別子を一時保持し（ステップＳ２３３）、ユーザのリモコン２２等を通じての検索実行指示を待つ（ステップＳ２３４）。
【０３１４】
そして、ステップＳ２３４で、検索実行指示がなされたと判別したときには、記録媒体５または記録媒体７に記録されているコンテンツの付加情報ファイルのそれぞれを検索して、指定された検索するシーンのシーン識別子と同一または類似するシーン識別子を持つコンテンツを探す（ステップＳ２３５）。
【０３１５】
そして、ステップＳ２３５の検索により見つけ出したコンテンツの一覧を、表示部２３の画面に表示する（ステップＳ２３６）。以上で、類似シーンの検索処理は、終了となるが、ユーザは、このコンテンツの一覧から、希望するコンテンツを選択して再生することができるように、実施形態の記録再生装置は構成されている。
【０３１６】
＜シーン識別子を用いた嗜好調査＞
この例においては、記録再生装置では、ＣＭ区間に１つのシーン識別子を付与し、そのシーン識別子で示されるＣＭ区間についての前述したユーザ評価値を、電話回線やその他の通信ネットワークを通じて放送局側に送るようにする。この場合、前述したように、シーン識別子とＣＭ区間フラグを用いることで、ＣＭ区間に１つのシーン識別子を付与することができる。勿論、ＣＭ区間に、ＣＭ区間用のシーン識別子を付与するようにしても良いが、その場合には、シーン区間の特徴量をシーン識別子として用いることはできないので、この例では、前述の例と同様に、シーン区間の複数の特徴量をシーン識別子として用いると共にＣＭ区間フラグを併せて用いるようにする。
【０３１７】
一方、放送局側においては、複数の記録再生装置からのＣＭについてのユーザ評価値を収集し、当該収集したユーザ評価値を解析し、評価する。そして、放送局側では、収集したユーザ評価値をＣＭ自身の評価やＣＭの挿入タイミングの評価などに反映させるようにする。
【０３１８】
図３１は、この例において、嗜好調査システム構成の一例を説明するためのブロック図である。すなわち、この例においては、前述の図１の構成を備える、複数の記録再生装置４１，４２，・・・，４ｎ（ｎは２以上の整数）のそれぞれは、通信ネットワーク５０を通じて、例えば放送局側が運営する顧客嗜好収集システム５１と接続されている。
【０３１９】
このため、記録再生装置４１，４２，・・・，４ｎのそれぞれは、図３２に示すように、図１の構成に加えて、通信インターフェース３０を備え、例えば電話回線を通じて通信ネットワーク５０に接続されている。
【０３２０】
そして、記録再生装置４１，４２，・・・，４ｎのそれぞれは、図示を省略した不揮発性メモリに、顧客嗜好収集システム５１の電話番号、メールアドレス、ＵＲＬ（ＵＮＩＦＯＲＭ  ＲＥＳＯＵＲＣＥ  ＬＯＣＡＴＯＲ）などの通信ネットワーク３０上のアドレス情報を記憶して保持していると共に、この例では、一定時間毎、例えば１日、１週間、１月など毎に、通信ネットワーク５０を通じて、顧客嗜好収集システム５１にアクセスして、それぞれのＣＭのシーン識別子とそのユーザ評価値とを、送るようにする自動送信プログラムを記憶している。
【０３２１】
図３３は、この自動送信プログラムによる処理動作を説明するためのフローチャートである。
【０３２２】
すなわち、システムコントローラ部２０は、ユーザ評価値の送出タイミングになったかどうかを監視し（ステップＳ２４１）、ユーザ評価値の送出タイミングでなかったら、メインルーチンに戻って、他の処理を行なう。
【０３２３】
そして、ステップＳ２４１で、ユーザ評価値の送出タイミングになったと判別したときには、システムコントローラ部２０は、記憶しているアドレス情報を用いて、顧客嗜好収集システム５１に通信ネットワーク５０を通じて接続する（ステップＳ２４２）。そして、システムコントローラ部２０は、ユーザ評価値累積蓄積部３４からＣＭ区間フラグが付与されているＣＭ区間のシーン識別子と、そのユーザ評価値を読み出して、当該読み出したＣＭ区間のシーン識別子と、そのユーザ評価値を、顧客嗜好収集システム５１に送る（ステップＳ２４３）。
【０３２４】
そして、システムコントローラ部２０は、全てのＣＭ区間のシーン識別子と、そのユーザ評価値を送信したか否か判別し（ステップＳ２４４）、未だ全てのＣＭ区間のシーン識別子と、そのユーザ評価値を送信していないときには、ステップＳ２４３に戻って、送信を継続する。ステップＳ２４４で、全てのＣＭ区間のシーン識別子と、そのユーザ評価値を送信したと判別したときには、システムコントローラ部２０は、顧客嗜好収集システム５１との通信路を切断し（ステップＳ２４５）、この処理ルーチンを終了する。
【０３２５】
以上のようにして、顧客嗜好収集システム５１は、図３１に示すように、複数個の記録再生装置４１〜４ｎからの各ＣＭ区間のシーン識別子と、そのユーザ評価値を収集し、同じシーン識別子のＣＭ区間については、ユーザ評価値の集計を行なう。そして、各ＣＭ区間についての集計結果を、放送局５２に報せる。
【０３２６】
放送局５２は、その集計結果から、複数のＣＭ相互間の相対評価を行なうと共に、ＣＭの挿入区間の評価や、ＣＭと番組とのマッチングなどを解析する。そして、その解析結果に基づいて、新たに放送予定の番組コンテンツに対する挿入ＣＭの見直しや、挿入タイミングの見直しなどを行なうようにする。
【０３２７】
なお、この顧客嗜好収集システム例において、ＣＭ区間のシーン識別子は、記録再生装置側で、シーン区間の特徴量から生成するのではなく、放送局側から、例えば放送信号のＣＭ区間に重畳等して、放送受信側に送り、放送受信側では、放送信号からＣＭ区間の識別子を抽出すると共に、同じ識別子のＣＭについては、ユーザ評価値を累積加算するようにしても良い。
【０３２８】
また、上述の実施形態では、ユーザ評価値累積蓄積部３４に蓄積したユーザ評価値を、放送局側に送るようにしたが、例えば１日、１週間、１月などの一定期間毎の各ＣＭについてのユーザ評価値を収集したい場合には、ユーザ評価値累積蓄積部３４とは別に、放送局への送信用のＣＭのシーン識別子と、そのユーザ評価値とを記憶するメモリを設け、顧客嗜好収集システムに送信するたびに、その記憶内容を消去して、新たな情報収集に備えるようにすれば良い。
【０３２９】
［その他の変形例等］
上述の実施形態の記録再生装置の受信部２は、地上アナログテレビ放送の受信部の場合である他、地上デジタルテレビ放送の受信部、衛星デジタルテレビ放送の受信部、ケーブルテレビ放送の受信部、インターネット配信されたテレビ放送の受信部であっても、この発明は適用可能である。
【０３３０】
また、上述の実施形態は、テレビ放送番組の記録再生の場合に、この発明を適用した場合であるが、この発明は、テレビ放送番組の記録再生に限られるわけではなく、例えばラジオ放送番組の記録再生の他、種々の情報信号の記録再生に適用可能である。
【０３３１】
また、シーン変化点で区分けされるシーン区間は、上述の実施形態のように、映像情報および音声情報の両方の特徴量から検出する場合のみではなく、映像情報のみの特徴量から、あるいは、音声情報の特徴量のみから検出するようにすることもできる。
【０３３２】
なお、上述の実施形態では、シーン識別子に対応するユーザ評価値が負の場合、あるいは、負の所定のしきい値よりもさらに負の方向の値である場合に、当該シーン識別子に対応するシーン区間をスキップするようにしたが、ユーザ評価値を負の絶対値が大きい順にランキングを作成し、当該ランキングの上位所定番目までのシーン識別子に対応するシーン区間をスキップ対象とするようにしても良い。
【図面の簡単な説明】
【０３３３】
【図１】この発明による記録再生装置の第１の実施形態のハードウエア構成例を示すブロック図である。
【図２】この発明による記録再生装置の実施形態におけるシーン識別子を説明するために用いる図である。
【図３】この発明による記録再生装置の実施形態におけるシーン識別子の生成方法の一例を説明するための図である。
【図４】この発明による記録再生装置の実施形態を説明するために用いる図である。
【図５】この発明による記録再生装置の実施形態を説明するために用いる図である。
【図６】この発明による記録再生装置の実施形態を説明するために用いる図である。
【図７】この発明による記録再生装置の実施形態を説明するために用いる図である。
【図８】この発明による記録再生装置の実施形態における記録再生の処理動作を説明するためのフローチャートの一部である。
【図９】この発明による記録再生装置の実施形態における記録再生の処理動作を説明するためのフローチャートの一部である。
【図１０】この発明による記録再生装置の実施形態におけるシーン識別子付与処理動作を説明するためのフローチャートである。
【図１１】この発明による記録再生装置の実施形態における記録再生の処理動作を説明するためのフローチャートの一部である。
【図１２】この発明による記録再生装置の実施形態における記録再生の処理動作を説明するためのフローチャートの一部である。
【図１３】この発明による記録再生装置の実施形態におけるユーザ評価反映再生の処理動作を説明するためのフローチャートの一部である。
【図１４】この発明による記録再生装置の実施形態におけるユーザ評価反映再生の処理動作を説明するためのフローチャートの一部である。
【図１５】この発明による記録再生装置の実施形態におけるシーン識別子付与処理動作の他の例を説明するためのフローチャートである。
【図１６】この発明による記録再生装置の実施形態を説明するために用いる図である。
【図１７】この発明による記録再生装置の実施形態におけるシーン識別子付与処理動作の他の例を説明するためのフローチャートである。
【図１８】この発明による記録再生装置の実施形態におけるユーザ評価反映再生の処理動作の他の例を説明するためのフローチャートの一部である。
【図１９】この発明による記録再生装置の実施形態におけるユーザ評価反映再生の処理動作の他の例を説明するためのフローチャートの一部である。
【図２０】この発明による記録再生装置の実施形態における特殊処理動作を説明するために用いる図である。
【図２１】この発明による記録再生装置の実施形態におけるシーン識別子付与処理動作の他の例を説明するためのフローチャートである。
【図２２】この発明による記録再生装置の実施形態におけるユーザ評価反映再生の処理動作の他の例を説明するためのフローチャートの一部である。
【図２３】この発明による記録再生装置の実施形態におけるユーザ評価反映再生の処理動作の他の例を説明するためのフローチャートの一部である。
【図２４】この発明による記録再生装置の実施形態における特殊処理動作を説明するために用いる図である。
【図２５】この発明による記録再生装置の実施形態における特殊処理動作を説明するためのフローチャートの一部である。
【図２６】この発明による記録再生装置の実施形態における特殊処理動作を説明するために用いる図である。
【図２７】この発明による記録再生装置の実施形態におけるシーン識別子付与処理動作の他の例を説明するためのフローチャートである。
【図２８】この発明による記録再生装置の実施形態における特殊処理動作を説明するためのフローチャートである。
【図２９】この発明による記録再生装置の実施形態における特殊処理動作を説明するためのフローチャートである。
【図３０】この発明による記録再生装置の実施形態における特殊処理動作を説明するためのフローチャートである。
【図３１】この発明による記録再生装置の実施形態の応用システムを説明するためのシステム構成例を示す図である。
【図３２】図３１のシステムにおける場合の記録再生装置の実施形態のハードウエア構成例を示すブロック図である。
【図３３】図３１のシステムにおける場合の記録再生装置の実施形態の主要な処理動作を説明するためのフローチャートである。
【符号の説明】
【０３３４】
２…受信部、３…記録信号エンコード処理部、４…記録処理部、５…内蔵記録媒体、７…外部記録媒体、８…読み出し制御部、９…再生処理部、１０…再生デコード出力部、１２…特徴量検出部、１３…シーン変化点検出部、１４…シーン識別子生成部、１５…特徴量記憶部、１６…付加情報ファイル処理部、１７…ユーザ評価値生成部、１８…ユーザ評価値累積蓄積部
【図１】
2007110188.tif 000003
【図２】
2007110188.tif 000004
【図３】
2007110188.tif 000005
【図４】
2007110188.tif 000006
【図５】
2007110188.tif 000007
【図６】
2007110188.tif 000008
【図７】
2007110188.tif 000009
【図８】
2007110188.tif 000010
【図９】
2007110188.tif 000011
【図１０】
2007110188.tif 000012
【図１１】
2007110188.tif 000013
【図１２】
2007110188.tif 000014
【図１３】
2007110188.tif 000015
【図１４】
2007110188.tif 000016
【図１５】
2007110188.tif 000017
【図１６】
2007110188.tif 000018
【図１７】
2007110188.tif 000019
【図１８】
2007110188.tif 000020
【図１９】
2007110188.tif 000021
【図２０】
2007110188.tif 000022
【図２１】
2007110188.tif 000023
【図２２】
2007110188.tif 000024
【図２３】
2007110188.tif 000025
【図２４】
2007110188.tif 000026
【図２５】
2007110188.tif 000027
【図２６】
2007110188.tif 000028
【図２７】
2007110188.tif 000029
【図２８】
2007110188.tif 000030
【図２９】
2007110188.tif 000031
【図３０】
2007110188.tif 000032
【図３１】
2007110188.tif 000033
【図３２】
2007110188.tif 000034
【図３３】
2007110188.tif 000035